(57)【要約】【課題】太陽電池モジュール本体への荷重による太陽電池モジュールの固定部外領域の部分での撓みを抑制でき、これにより、長期に亘って信頼性を維持することができる太陽電池モジュール及びそれを備えた太陽光発電システムを提供する。【解決手段】太陽電池モジュールは、太陽電池モジュール本体と、太陽電池モジュール本体の外周を全周に亘って支持する枠体と、枠体に設けられて太陽電池モジュール本体の裏面側を補強する補強部材とを備え、枠体は、固定部材によって当該太陽電池モジュールを該太陽電池モジュールの設置箇所に固定するための少なくとも２箇所の固定部を有しており、補強部材は、枠体の外縁に囲まれた外縁領域のうち、固定部を直線で囲む多角形の固定部内領域の内側に設けられた第１支持点と、枠体の外縁領域のうちの固定部内領域以外の固定部外領域の部分に設けられた第２支持点との間に渡されている。【選択図】図１
2014066045.tif 000002
【特許請求の範囲】
【請求項１】
太陽電池モジュール本体と、前記太陽電池モジュール本体の外周を全周に亘って支持する枠体と、前記枠体に設けられて前記太陽電池モジュール本体の裏面側を補強する補強部材とを備えた太陽電池モジュールであって、
前記枠体は、固定部材によって当該太陽電池モジュールを該太陽電池モジュールの設置箇所に固定するための少なくとも２箇所の固定部を有しており、
前記補強部材は、前記枠体の外縁に囲まれた外縁領域のうち、前記固定部を直線で最小面積になるように囲む多角形の固定部内領域の内側に設けられた第１支持点と、前記枠体における前記外縁領域のうちの前記固定部内領域以外の固定部外領域の部分に設けられた第２支持点との間に渡されていることを特徴とする太陽電池モジュール。
【請求項２】
請求項１に記載の太陽電池モジュールであって、
前記補強部材は、直線状の部材とされていることを特徴とする太陽電池モジュール。
【請求項３】
請求項１又は請求項２に記載の太陽電池モジュールであって、
前記太陽電池モジュール本体は多角形状であり、
前記太陽電池モジュール本体の少なくとも１つの角部は、前記固定部外領域に位置しており、
前記第２支持点は、前記固定部外領域における前記角部の近傍に設けられていることを特徴とする太陽電池モジュール。
【請求項４】
請求項１から請求項３までの何れか１項に記載の太陽電池モジュールであって、
前記第１支持点は、前記枠体における前記固定部内領域の部分に設けられていることを特徴とする太陽電池モジュール。
【請求項５】
請求項１から請求項３までの何れか１項に記載の太陽電池モジュールであって、
前記補強部材とは異なる別の補強部材をさらに備え、
前記別の補強部材は、前記枠体における前記固定部内領域の部分の間に渡されており、
前記第１支持点は、前記別の補強部材の内分点に設けられていることを特徴とする太陽電池モジュール。
【請求項６】
請求項５に記載の太陽電池モジュールであって、
前記固定部外領域は、前記第２支持点を含む第１固定部外領域と、前記第１固定部外領域とは異なる第２固定部外領域とを有し、
前記補強部材は、前記別の補強部材の内分点に設けられた前記第１支持点から延伸して、前記枠体における前記第２固定部外領域の部分に設けられた第３支持点と、前記枠体における前記第１固定部外領域の部分に設けられた前記第２支持点との間に渡されていることを特徴とする太陽電池モジュール。
【請求項７】
請求項６に記載の太陽電池モジュールであって、
前記第１支持点は、前記太陽電池モジュール本体の前記第１固定部外領域での第１重量と、前記太陽電池モジュール本体の前記第２固定部外領域での第２重量との重量比が、前記補強部材の前記第１支持点及び前記第３支持点の間の第１距離と、前記補強部材の前記第１支持点及び前記第２支持点の間の第２距離との比とほぼ等しくなる位置に設けられていることを特徴とする太陽電池モジュール。
【請求項８】
請求項１から請求項７までの何れか１項に記載の太陽電池モジュールであって、
前記固定部は、少なくとも２箇所の点状の固定部を含み、
前記固定部内領域は、少なくとも２箇所の点状の前記固定部を含む３箇所以上の前記固定部を囲むことを特徴とする太陽電池モジュール。
【請求項９】
請求項１から請求項７までの何れか１項に記載の太陽電池モジュールであって、
前記固定部は、少なくとも１箇所の線状又は面状の固定部を含み、
前記固定部内領域は、少なくとも１箇所の線状又は面状の前記固定部を含む２箇所以上の前記固定部を囲むことを特徴とする太陽電池モジュール。
【請求項１０】
請求項１から請求項９までの何れ１項に記載の太陽電池モジュールを備え、
前記太陽電池モジュールは、前記固定部材によって前記設置箇所に固定されることを特徴とする太陽光発電システム。
【発明の詳細な説明】
【技術分野】
【０００１】
本発明は、太陽電池モジュール本体の外周を全周に亘って支持する枠体に太陽電池モジュール本体の裏面側を補強する補強部材が設けられた太陽電池モジュール及びそれを備えた太陽光発電システムに関する。
【背景技術】
【０００２】
太陽電池モジュールを該太陽電池モジュールの設置箇所に設置する手段として、例えば、特許文献１に記載されているように、屋根上に設けた横桟に締結ボルトなどの締結具類（固定部材）を用いて太陽電池モジュールを固定する技術が広く用いられている。
【０００３】
また、太陽電池モジュール自体の強度を向上させるために、例えば、特許文献２には、太陽電池モジュール本体の外周を全周に亘って支持する枠体に太陽電池モジュール本体の裏面側を補強する補強部材を設ける技術が記載されている。
【先行技術文献】
【特許文献】
【０００４】
【特許文献１】特開２００３−８２８２３号公報
【特許文献２】特開平９−１４８６１２号公報
【発明の概要】
【発明が解決しようとする課題】
【０００５】
しかしながら、特許文献１に記載の技術のように、固定部材を用いて太陽電池モジュールを設置する場合には、太陽電池モジュールの枠体の全周において固定部材を設けることは困難であり、通常は、特許文献１に記載のように、一方向に隣り合う太陽電池モジュール間において対向する２辺の枠体に沿って固定部材を設けることが多く、また、枠体の角部に固定部材を設けることができないことも多い。このため、太陽電池モジュールには、固定部材によって囲まれる領域からはみ出す固定部外領域ができてしまうことがある。この固定部外領域では、太陽電池モジュールの枠体は固定部材によって支えられていないので、太陽電池モジュール本体の自重及び／又は風（吹付け）などの外圧による太陽電池モジュール本体の受光面側からの押さえつけ方向への荷重（正荷重）や、風などの外圧による太陽電池モジュール本体の裏面側から持ち上げる方向への荷重（負荷重）がかかった場合に、太陽電池モジュールの固定部外領域の部分が撓み易く、そうすると、太陽電池モジュール本体内の太陽電池セルが破壊されたり、発電特性が低下したりするといった太陽電池モジュールの信頼性の低下を招く。
【０００６】
一方、特許文献２に記載の技術のように、枠体に太陽電池モジュール本体の裏面側を補強する補強部材を設けることによって、太陽電池モジュール自体の強度を向上させ得ることは知られているが、特許文献２に記載の技術は、上記したように太陽電池モジュールの固定部外領域の部分が撓み易いという課題を解決するものではない。
【０００７】
そこで、本発明は、太陽電池モジュール本体への荷重による太陽電池モジュールの固定部外領域の部分での撓みを抑制でき、これにより、長期に亘って信頼性を維持することができる太陽電池モジュール及びそれを備えた太陽光発電システムを提供することを目的とする。
【課題を解決するための手段】
【０００８】
本発明は、前記課題を解決するために、次の太陽電池モジュール及び太陽光発電システムを提供する。
【０００９】
（１）太陽電池モジュール
太陽電池モジュール本体と、前記太陽電池モジュール本体の外周を全周に亘って支持する枠体と、前記枠体に設けられて前記太陽電池モジュール本体の裏面側を補強する補強部材とを備えた太陽電池モジュールであって、前記枠体は、固定部材によって当該太陽電池モジュールを該太陽電池モジュールの設置箇所に固定するための少なくとも２箇所の固定部を有しており、前記補強部材は、前記枠体の外縁に囲まれた外縁領域のうち、前記固定部を直線で最小面積になるように囲む多角形の固定部内領域の内側に設けられた第１支持点と、前記枠体における前記外縁領域のうちの前記固定部内領域以外の固定部外領域の部分に設けられた第２支持点との間に渡されていることを特徴とする太陽電池モジュール。
【００１０】
（２）太陽光発電システム
前記本発明に係る太陽電池モジュールを備え、前記太陽電池モジュールは、前記固定部材によって前記設置箇所に固定されることを特徴とする太陽光発電システム。
【００１１】
本発明において、前記補強部材は、直線状の部材とされている態様を例示できる。
【００１２】
本発明において、前記太陽電池モジュール本体は多角形状であり、前記太陽電池モジュール本体の少なくとも１つの角部は、前記固定部外領域に位置しており、前記第２支持点は、前記固定部外領域における前記角部の近傍に設けられている態様を例示できる。
【００１３】
本発明において、前記第１支持点は、前記枠体における前記固定部内領域の部分に設けられている態様を例示できる。
【００１４】
本発明において、前記補強部材とは異なる別の補強部材をさらに備え、前記別の補強部材は、前記枠体における前記固定部内領域の部分の間に渡されており、前記第１支持点は、前記別の補強部材の内分点に設けられている態様を例示できる。
【００１５】
本発明において、前記固定部外領域は、前記第２支持点を含む第１固定部外領域と、前記第１固定部外領域とは異なる第２固定部外領域とを有し、前記補強部材は、前記別の補強部材の内分点に設けられた前記第１支持点から延伸して、前記枠体における前記第２固定部外領域の部分に設けられた第３支持点と、前記枠体における前記第１固定部外領域の部分に設けられた前記第２支持点との間に渡されている態様を例示できる。
【００１６】
本発明において、前記第１支持点は、前記太陽電池モジュール本体の前記第１固定部外領域での第１重量と、前記太陽電池モジュール本体の前記第２固定部外領域での第２重量との重量比が、前記補強部材の前記第１支持点及び前記第３支持点の間の第１距離と、前記補強部材の前記第１支持点及び前記第２支持点の間の第２距離との比とほぼ等しくなる位置に設けられている態様を例示できる。
【００１７】
本発明において、前記固定部は、少なくとも２箇所の点状の固定部を含み、前記固定部内領域は、少なくとも２箇所の点状の前記固定部を含む３箇所以上の前記固定部を囲む態様を例示できる。
【００１８】
本発明において、前記固定部は、少なくとも１箇所の線状又は面状の固定部を含み、前記固定部内領域は、少なくとも１箇所の線状又は面状の前記固定部を含む２箇所以上の前記固定部を囲む態様を例示できる。
【発明の効果】
【００１９】
本発明によれば、前記太陽電池モジュール本体への荷重による前記太陽電池モジュールの前記固定部外領域の部分での撓みを抑制でき、これにより、長期に亘って信頼性を維持することが可能となる。
【図面の簡単な説明】
【００２０】
【図１】第１実施形態に係る太陽電池モジュールを示す概略平面図である。
【図２】図１に示すＡ−Ａ線に沿った概略断面図である。
【図３】図１に示すＢ−Ｂ線に沿った概略断面図である。
【図４】図１に示す太陽電池モジュールにおける第１枠体及び第２枠体と第３枠体及び第４枠体との接合部分、並びに、第１枠体及び第２枠体と横桟との連結部分を概略的に示す分解斜視図である。
【図５】図１に示す枠体と補強部材との接合部分を拡大して示す概略断面図であって、（ａ）は、枠体に対する補強部材の一端側の接合部分を示す図であり、（ｂ）は、枠体に対する補強部材の他端側の接合部分を示す図である。
【図６】図１に示す枠体と補強部材との接合部分を概略的に示す底面図である。
【図７】図１に示す太陽電池モジュールの補強部材を概略的に示す図であって、（ａ）は、その平面図であり、（ｂ）は、その側面図であり、（ｃ）は、その底面図であり、（ｄ）は、その正面図である。
【図８】図１に示す太陽電池モジュールにおいて太陽電池モジュール本体の形状を五角形状のものとした一例を示す概略平面図である。
【図９】五角形状のために追加した枠体と長さを短くした枠体とが第１継手部材によって接続される接続部分を示す概略図であって、図８に示すＣ−Ｃ線に沿った断面図である。
【図１０】五角形状のために追加した枠体と長さを短くした枠体とが第１継手部材によって接続される接続部分を示す概略図であって、図８に示すＤ−Ｄ線に沿った断面図である。
【図１１】五角形状のために追加した枠体と長さを短くした枠体とが第２継手部材によって接続される接続部分を示す概略図であって、図８に示すＥ−Ｅ線、Ｆ−Ｆ線に沿った断面図である。
【図１２】図８に示す太陽電池モジュールにおける第１枠体及び第５枠体の接合部部分を示す概略斜視図である。
【図１３】図８に示す第１枠体及び第５枠体を接合する第１継手部材を示す概略斜視図である。
【図１４】図１３に示す第１継手部材を示す概略正面図である。
【図１５】図１３に示す第１継手部材を示す概略平面図である。
【図１６】図８に示す太陽電池モジュールにおける第３枠体及び第５枠体の接合部部分を示す概略斜視図である。
【図１７】図８に示す第３枠体及び第５枠体を接合する第２継手部材を示す概略斜視図である。
【図１８】図１７に示す第２継手部材を示す概略正面図である。
【図１９】図１７に示す第２継手部材を示す概略平面図である。
【図２０】第２実施形態に係る太陽電池モジュールを示す概略平面図である。
【図２１】図２０に示す太陽電池モジュールにおける補強部材及び別の補強部材の交差部分の一構成例を概略的に示す斜視図である。
【図２２】図２０に示すＧ−Ｇ線に沿った概略断面図である。
【図２３】図２０に示すＨ−Ｈ線に沿った概略断面図である。
【図２４】図２０に示す太陽電池モジュールの補強部材及び別の補強部材を概略的に示す側面図であって、（ａ）は、補強部材の一例を示す図であり、（ｂ）は、別の補強部材の一例を示す図である。
【図２５】図２０に示す太陽電池モジュールにおける補強部材及び別の補強部材の交差部分の他の構成例を概略的に示す斜視図である。
【図２６】図２０に示す太陽電池モジュールの補強部材及び別の補強部材を概略的に示す側面図であって、（ａ）は、補強部材の他の例を示す図であり、（ｂ）は、別の補強部材の他の例を示す図である。
【図２７】第３実施形態に係る太陽電池モジュールを示す概略平面図である。
【図２８】第４実施形態に係る太陽電池モジュールを示す概略平面図である。
【図２９】図２８に示す太陽電池モジュールにおける第１枠体及び第２枠体と支柱との連結部分を概略的に示す分解斜視図である。
【図３０】第５実施形態に係る太陽電池モジュールを示す概略平面図である。
【図３１】太陽電池モジュール本体の枠体における固定部の他の例を概略的に示す平面図であって、（ａ）は、線状の固定部を示す図であり、（ｂ）は、面状の固定部を示す図である。
【図３２】第１実施形態乃至第３実施形態に係る太陽電池モジュールが固定部材によって設置箇所として作用する横桟に固定される太陽光発電システムの一例を示す概略平面図である。
【図３３】第４実施形態乃至第５実施形態に係る太陽電池モジュールが固定部材によって設置箇所として作用する支柱に固定される太陽光発電システムの一例を示す概略平面図である。
【発明を実施するための形態】
【００２１】
以下、本発明の実施の形態について添付図面を参照しながら説明する。なお、以下の実施の形態は、本発明を具体化した例であって、本発明の技術的範囲を限定するものではない。
【００２２】
［第１実施形態］
図１は、第１実施形態に係る太陽電池モジュール１０（１０Ａ）を示す概略平面図である。図２は、図１に示すＡ−Ａ線に沿った概略断面図である。図３は、図１に示すＢ−Ｂ線に沿った概略断面図である。
【００２３】
図４は、図１に示す太陽電池モジュール１０（１０Ａ）における第１枠体１２ａ及び第２枠体１２ｂと第３枠体１２ｃ及び第４枠体１２ｄとの接合部分、並びに、第１枠体１２ａ及び第２枠体１２ｂと横桟４０との連結部分を概略的に示す分解斜視図である。なお、第１枠体１２ａと第３枠体１２ｃとの接合部分、第１枠体１２ａと第４枠体１２ｄとの接合部分、第２枠体１２ｂと第３枠体１２ｃとの接合部分、及び、第２枠体１２ｂと第４枠体１２ｄとの接合部分は、何れも実質的に同じ構成とされている。このため、図４では、これらの接合部分は一つの図で示している。また、第１枠体１２ａと横桟４０との連結部分及び第２枠体１２ｂと横桟４０との連結部分についても同様である。
【００２４】
図５は、図１に示す枠体１２（１２ｂ，１２ｃ）と補強部材２０との接合部分を拡大して示す概略断面図である。図５（ａ）は、枠体１２（１２ｂ）に対する補強部材２０の一端側の接合部分を示しており、図５（ｂ）は、枠体１２（１２ｃ）に対する補強部材２０の他端側の接合部分を示している。
【００２５】
図６は、図１に示す枠体１２（１２ｂ，１２ｃ）と補強部材２０との接合部分を概略的に示す底面図である。なお、第２枠体１２ｂと補強部材２０との一方の接合部分、及び、第３枠体１２ｃと補強部材２０との他方の接合部分は、何れも実質的に同じ構成とされている。このため、図６では、これらの接合部分は一つの図で示している。
【００２６】
また、図７は、図１に示す太陽電池モジュール１０（１０Ａ）の補強部材２０を概略的に示す図である。図７（ａ）は、その平面図を示しており、図７（ｂ）は、その側面図を示しており、図７（ｃ）は、その底面図を示しており、図７（ｄ）は、その正面図を示している。
【００２７】
第１実施形態に係る太陽電池モジュール１０（１０Ａ）は、太陽電池モジュール本体１１と、枠体１２と、補強部材２０とを備えている。
【００２８】
−太陽電池モジュール本体−
（四角形状の太陽電池モジュール本体の一例）
太陽電池モジュール本体１１は、平面視で（平面から視て）多角形状（ここでは四角形状、より具体的には正方形状）（図１参照）のものとされている。太陽電池モジュール本体１１の形状は、四角形状（正方形状又は矩形状）が一般的であるが、三角形状や五角以上の形状であってよい。また、太陽電池モジュール本体１１の形状は、多角形状に限定されるものではなく、円形状や楕円形状であってもよい。
【００２９】
太陽電池モジュール本体１１では、表面１１ａ側の透光性基板１１２（図５参照）と裏面１１ｂ側の保護部材１１３（図５参照）との間に、太陽電池セル１１４（図５参照）が配置されるとともに、太陽電池セル１１４を封止する封止部材１１５（図５参照）が充填されている。なお、太陽電池セル１１４は、シリコン系太陽電池（例えば、結晶系又はアモルファス系）、化合物系太陽電池（例えば、ＧａＡｓ系又はＣＩＳ系）、又は、有機系太陽電池（例えば、色素増感型）の何れであってもよい。
【００３０】
−枠体−
枠体１２は、太陽電池モジュール本体１１の外周の側面１１１（ここでは第１側面１１１ａ、第２側面１１１ｂ、第３側面１１１ｃ及び第４側面１１１ｄの４つの側面）（図１乃至図３参照）部分を囲繞することにより、太陽電池モジュール本体１１の外周縁部を全体に亘って支持するようになっている。第１実施形態では、枠体１２（１２ａ〜１２ｄ）は、太陽電池モジュール本体１１の各側面１１１（１１１ａ〜１１１ｄ）に対応した複数個（図１の例では４個）の枠体とされている。
【００３１】
詳しくは、枠体１２（１２ａ〜１２ｄ）は、太陽電池モジュール本体１１の各辺に沿って延びており、互いに相対する第１枠体１２ａ及び第２枠体１２ｂと、互いに相対する第３枠体１２ｃ及び第４枠体１２ｄとで四角形状を構成している。具体的には、第１枠体１２ａ及び第２枠体１２ｂは、互いに平行に、かつ、第３枠体１２ｃ及び第４枠体１２ｄに対して直交するように設けられている。第３枠体１２ｃ及び第４枠体１２ｄは、互いに平行に、かつ、第１枠体１２ａ及び第２枠体１２ｂに対して直交するように設けられている。
【００３２】
また、第１枠体１２ａは、太陽電池モジュール本体１１の第１側面１１１ａ（図１及び図２参照）に配設され、第２枠体１２ｂは、太陽電池モジュール本体１１の第２側面１１１ｂ（図１及び図２参照）に配設されている。また、第３枠体１２ｃは、太陽電池モジュール本体１１の第３側面１１１ｃ（図１及び図３参照）に配設され、第４枠体１２ｄは、太陽電池モジュール本体１１の第４側面１１１ｄ（図１及び図３参照）に配設されている。
【００３３】
また、第１枠体１２ａ、第２枠体１２ｂ、第３枠体１２ｃ及び第４枠体１２ｄは、例えば、アルミニウム又はアルミニウム合金製の枠体とされており、押出成形により形成されることにより、長手方向においてそれぞれ同じ断面形状を有している。
【００３４】
詳しくは、枠体１２（１２ａ〜１２ｄ）は、太陽電池モジュール本体１１の外周縁部が嵌合される嵌合部１２１と、第１面方向Ｘ及び第１面方向Ｘに直交する第２面方向Ｙの双方に直交する太陽電池モジュール本体１１の厚み方向Ｚ（垂直方向）において一端部で嵌合部１２１を支持する支持部１２２と、厚み方向Ｚの支持部１２２の他端部において内側に突設された底部片１２３とを含んでいる。この例では、第１面方向Ｘは、第１枠体１２ａ及び第２枠体１２ｂの長手方向に沿った方向とされており、第２面方向Ｙは、第３枠体１２ｃ及び第４枠体１２ｄの長手方向に沿った方向とされている。
【００３５】
嵌合部１２１は、太陽電池モジュール本体１１の側面１１１（１１１ａ〜１１１ｄ）に沿って形成された枠板１２１ａ（図４及び図５参照）と、厚み方向Ｚにおいて枠板１２１ａの一端部（太陽電池モジュール本体１１の表側端部）から内側に向けて直角に延設された第１保持片１２１ｂ（図４及び図５参照）と、厚み方向Ｚにおいて枠板１２１ａの他端部（太陽電池モジュール本体１１の裏側端部）から内側に向けて直角に延設された第２保持片１２１ｃ（図４及び図５参照）とで構成されている。なお、第１実施形態では、第２保持片１２１ｃは、支持部１２２の後述する第１支持板１２２ａを兼ねている。
【００３６】
第１保持片１２１ｂ及び第２保持片１２１ｃは、太陽電池モジュール本体１１の厚み程度（太陽電池モジュール本体１１を挿通できる程度）の間隔をおいて互いに平行になるように形成されており、太陽電池モジュール本体１１の表面１１ａ及び裏面１１ｂを挟持するように構成されている。ここでは、嵌合部１２１と太陽電池モジュール本体１１の縁部との間には緩衝部材１２１ｄ（図５参照）が配置されている。
【００３７】
かかる構成を備えた枠体１２（１２ａ〜１２ｄ）では、枠板１２１ａ、第１保持片１２１ｂ及び第２保持片１２１ｃにより囲まれる部分に表面１１ａである透光性基板１１２の受光面を外側にして太陽電池モジュール本体１１の側面１１１（１１１ａ〜１１１ｄ）側の縁部が緩衝部材１２１ｄを介して挿入される。これにより、第１保持片１２１ｂ及び第２保持片１２１ｃで太陽電池モジュール本体１１の側面１１１（１１１ａ〜１１１ｄ）側の縁部を挟持することができる。さらに、太陽電池モジュール本体１１の側面１１１（１１１ａ〜１１１ｄ）が枠板１２１ａに緩衝部材１２１ｄを介して保持されることにより、第１枠体１２ａ及び第２枠体１２ｂでは太陽電池モジュール本体１１の側面１１１（１１１ａ，１１１ｂ）の第２面方向Ｙへの移動を規制し、かつ、第３枠体１２ｃ及び第４枠体１２ｄでは太陽電池モジュール本体１１の側面１１１（１１１ｃ，１１１ｄ）の第１面方向Ｘへの移動を規制することができる。
【００３８】
支持部１２２（図４及び図５参照）は、長手方向の両端部が開放された中空の箱形形状に形成されており、断面形状が厚み方向Ｚに長い長方形状とされている。詳しくは、支持部１２２は、第２保持片１２１ｃを構成する第１支持板１２２ａと、第１支持板１２２ａと平行に相対する第２支持板１２２ｂと、短手方向において第１支持板１２２ａ及び第２支持板１２２ｂの外側端部に接続されて嵌合部１２１における枠板１２１ａに連接された外側板１２２ｃと、短手方向において第１支持板１２２ａ及び第２支持板１２２ｂの内側端部に接続された内側板１２２ｄとを備えている。
【００３９】
ここでは、第３枠体１２ｃ及び第４枠体１２ｄにおける第１保持片１２１ｂ、第２保持片１２１ｃ（第１支持板１２２ａ）、第２支持板１２２ｂ及び内側板１２２ｄの長手方向（第２面方向Ｙ）の両端面（図４参照）は、枠板１２１ａ及び外側板１２２ｃの長手方向（第２面方向Ｙ）の端面よりも第１枠体１２ａ及び第２枠体１２ｂにおける嵌合部１２１及び支持部１２２が配置される分だけ内側の位置に退避している。
【００４０】
なお、第１実施形態では、支持部１２２は、単一の空間を有する形状とされているが、支持部１２２の強度を向上させるという観点から、厚み方向Ｚの一方側と他方側との間に仕切壁（図示せず）を設けることで厚み方向Ｚにおいて二つの空間を有する形状とされていてもよい。
【００４１】
また、第１枠体１２ａ及び第２枠体１２ｂにおける内側板１２２ｄの内面（空間側の面）には、長手方向（第１面方向Ｘ）に延び、かつ、空間側に突出した１箇所又は複数箇所（ここでは厚み方向Ｚの２箇所）の螺合片１２４（図４及び図５（ａ）参照）が設けられている。螺合片１２４には、固定部材として作用する螺子部材ＳＣ１（図１及び図４参照）の雄螺子部ＳＣａと螺合する雌螺子孔１２４ａが厚み方向Ｚに並設されている。
【００４２】
一方、第３枠体１２ｃ及び第４枠体１２ｄの外側板１２２ｃの長手方向（第２面方向Ｙ）の第１支持板１２２ａ、第２支持板１２２ｂ及び内側板１２２ｄよりも突出した端部（図４参照）には、螺子部材ＳＣ１の雄螺子部ＳＣａを貫通する貫通孔１２２ｅが形成されている。
【００４３】
かかる構成を備えた枠体１２では、第１枠体１２ａ及び第２枠体１２ｂ並びに第３枠体１２ｃ及び第４枠体１２ｄは、第３枠体１２ｃ及び第４枠体１２ｄの外側板１２２ｃの貫通孔１２２ｅを貫通した螺子部材ＳＣ１の雄螺子部ＳＣａと、第１枠体１２ａ及び第２枠体１２ｂの螺合片１２４の雌螺子孔１２４ａとを螺合（固定）することで互いに接合されるようになっている。
【００４４】
底部片１２３は、厚み方向Ｚにおいて内側板１２２ｄの他端部から内側に向けて内側板１２２ｄに直角に延設されて途中で厚み方向Ｚの一端部側（図中上側）に屈曲してさらに内側板１２２ｄに直角に延設されている。
【００４５】
ここでは、第３枠体１２ｃ及び第４枠体１２ｄにおける底部片１２３の長手方向（第２面方向Ｙ）の両端面（図４参照）は、支持部１２２の長手方向（第２面方向Ｙ）の端面よりも第１枠体１２ａ及び第２枠体１２ｂにおける底部片１２３が配置される分だけ内側の位置に退避している。また、第１枠体１２ａ及び第２枠体１２ｂにおける底部片１２３の長手方向（第１面方向Ｘ）の両端面（図４参照）は、支持部１２２の長手方向（第１面方向Ｘ）の端面よりも第３枠体１２ｃ及び第４枠体１２ｄにおける支持部１２２が配置される分だけ内側の位置に退避している。
【００４６】
そして、枠体１２（ここでは第１枠体１２ａ及び第２枠体１２ｂの底部片１２３）は、固定部材（ここでは座金ＷＳを介した締結ボルトＢＴ１及びナットＮＴ１による固定部材）（図４参照）によって太陽電池モジュール１０を太陽電池モジュール１０の設置箇所（ここでは一対の横桟４０，４０）（図１及び図４参照）に固定するための少なくとも２箇所（ここでは４箇所）の点状の固定部ＳＴ（ここでは締結ボルトＢＴ１の雄螺子部ＢＴａを貫通する貫通孔）（図１、図２及び図４参照）を有している。具体的には、第１枠体１２ａ及び第２枠体１２ｂの底部片１２３に固定部ＳＴ（ここでは貫通孔）が設けられている。
【００４７】
横桟４０（図１及び図４参照）は、屋根等の設置面に固定されるものであり、第１面方向Ｘに沿って（ここでは第１枠体１２ａ及び第２枠体１２ｂに平行に）延びた長尺状の部材とされている。横桟４０は、枠体１２（ここでは第１枠体１２ａ及び第２枠体１２ｂ）が取り付けられるようになっている。横桟４０には、枠体１２（ここでは第１枠体１２ａ及び第２枠体１２ｂ）の固定部ＳＴに対応する設置固定部４０ａ（ここでは締結ボルトＢＴ１の雄螺子部ＢＴａを貫通する貫通孔）（図４参照）が設けられている。具体的には、枠体１２（ここでは第１枠体１２ａ及び第２枠体１２ｂ）は、１本の横桟４０に対して２箇所の固定部ＳＴ，ＳＴをそれぞれ有している。すなわち、太陽電池モジュール１０は、屋根等の設置面に固定された一対の横桟４０，４０のそれぞれ２箇所の設置固定部４０ａ，４０ａに対して４箇所の固定部ＳＴ〜ＳＴで第１枠体１２ａ及び第２枠体１２ｂの底部片１２３と横桟４０との間にスペーサＳＰを存した状態で座金ＷＳを介した締結ボルトＢＴ１及びナットＮＴ１による固定部材によって固定されている。なお、スペーサＳＰに代えて或いはスペーサＳＰの厚みを小さくして底部片１２３の固定部ＳＴ〜ＳＴ部分の厚みを大きくするようにしてもよい。このことは、後述する図２９に示す第４実施形態についても同様である。
【００４８】
また、第２枠体１２ｂ及び第３枠体１２ｃにおける底部片１２３には、後述する補強部材２０の垂直板２１（図１及び図５乃至図７参照）を嵌入する嵌入溝１２３ａ（図１及び図５参照）が設けられている。
【００４９】
−補強部材−
補強部材２０は、太陽電池モジュール本体１１の裏面１１ｂ（図２、図３及び図５参照）側を補強するものであり、枠体１２（１２ａ〜１２ｄ）のうち何れか２つの枠体（ここでは第２枠体１２ｂ及び第３枠体１２ｃ）の間に設けられている。
【００５０】
詳しくは、補強部材２０は、２つの枠体（ここでは第２枠体１２ｂ及び第３枠体１２ｃ）の間に太陽電池モジュール本体１１の裏面１１ｂを通過するように裏面１１ｂに固定された状態で斜めに架設されている。補強部材２０は、厚み方向Ｚにおける一端側において太陽電池モジュール本体１１の裏面１１ｂを支持する支持面２０ａ（図５及び図７参照）を有しており、厚み方向Ｚにおける他端側において枠体１２（ここでは第２枠体１２ｂ及び第３枠体１２ｃ）に固定される固定部２０ｂ（図５乃至図７）を有している。
【００５１】
具体的には、補強部材２０（図５乃至図７参照）は、例えば、アルミニウム又はアルミニウム合金製の部材であり、押出成形により形成されることにより、長手方向において同じ断面形状を有する断面視Ｉ字形状の長尺部材とされている。すなわち、補強部材２０は、厚み方向Ｚに沿った垂直板２１と、厚み方向Ｚにおいて垂直板２１の一端部（太陽電池モジュール本体１１側端部）に設けられて厚み方向Ｚに直交する方向に沿った第１水平板２２と、厚み方向Ｚにおいて垂直板２１の他端部（太陽電池モジュール本体１１側とは反対側端部）に設けられて厚み方向Ｚに直交する方向に沿った第２水平板２３とを備えている。補強部材２０は、第１水平板２２に支持面２０ａが設けられており、第２水平板２３に固定部２０ｂが設けられている。
【００５２】
そして、補強部材２０は、太陽電池モジュール本体１１の裏面１１ｂを補強するようになっている。詳しくは、補強部材２０は、支持面２０ａが太陽電池モジュール本体１１の裏面１１ｂと接着剤や両面粘着シート等の接着部材Ｎ（図５参照）を介して接着される接着面とされており、固定部２０ｂが固定部材として作用する螺子部材ＳＣ２（図１乃至図３及び図５及び図６参照）を貫通するように厚み方向Ｚに沿って形成された貫通孔とされている。
【００５３】
また、補強部材２０は、長手方向の両端部において平面視で斜め方向に沿った端面２０ｃ（図５乃至図７参照）を有しており、第２枠体１２ｂ及び第３枠体１２ｃに対して予め定めた所定の傾斜角度θ１（図６参照）で傾斜するようになっている。
【００５４】
また、第２枠体１２ｂ及び第３枠体１２ｃの底部片１２３には、螺子部材ＳＣ２の雄螺子部ＳＣａ（図５及び図６参照）と螺合する１個又は複数個（ここでは２個）の雌螺子孔１２３ｂ（図５及び図６参照）が第２枠体１２ｂ及び第３枠体１２ｃの長手方向に沿って並設されている。
【００５５】
かかる構成を備えた太陽電池モジュール１０（１０Ａ）では、補強部材２０は、垂直板２１が底部片１２３における嵌入溝１２３ａに嵌入された状態で第２水平板２３の長手方向の両端部における内面２３ａ（図５及び図６参照）が枠体１２の底部片１２３の裏面１２３ｃ（図５参照）に重ねられて、補強部材２０の第２水平板２３の固定部２０ｂ（ここでは貫通孔）を通過した螺子部材ＳＣ２の雄螺子部ＳＣａと、底部片１２３の雌螺子孔１２３ｂとを螺合（固定）することで第２枠体１２ｂ及び第３枠体１２ｃと接合されるようになっている。
【００５６】
なお、太陽電池モジュール１０（１０Ａ）は、補強部材２０の傾斜を逆方向にして図１に示す構成を反転させたような構成であってもよい。このことは、後述する五角形状の太陽電池モジュール１０（１０Ａ）並びに第２実施形態乃至第３実施形態及び第５実施形態に係る太陽電池モジュール１０（１０Ｂ〜１０Ｃ，１０Ｅ）についても同様である。
【００５７】
［五角形状の太陽電池モジュール本体の一例］
また、図１に示す太陽電池モジュール１０（１０Ａ）は、太陽電池モジュール本体１１の形状が平面視で四角形状のものとされているが、五角形状のものとされる場合には、次のように構成することができる。
【００５８】
図８は、図１に示す太陽電池モジュール１０（１０Ａ）において太陽電池モジュール本体１１の形状を五角形状のものとした一例を示す概略平面図である。
【００５９】
図９乃至図１１は、五角形状のために追加した枠体１２（１２ｅ）と長さを短くした枠体１２（１２ａ，１２ｃ）とが第１継手部材１３又は第２継手部材１４によって接続される接続部分を示す概略図である。図９は、図８に示すＣ−Ｃ線に沿った断面図を示している。図１０は、図８に示すＤ−Ｄ線に沿った断面図を示している。また、図１１は、図８に示すＥ−Ｅ線、Ｆ−Ｆ線に沿った断面図を示している。なお、Ｅ−Ｅ線、Ｆ−Ｆ線に沿った断面の構成は、何れも実質的に同じ構成とされている。このため、図１１では、これらの断面の構成は一つの図で示している。
【００６０】
図８に示す太陽電池モジュール１０（１０Ａ）について、図１に示す太陽電池モジュール１０（１０Ａ）と同じ構成の部材には同一符号を付し、図１に示す太陽電池モジュール１０（１０Ａ）とは異なる点について以下に説明する。
【００６１】
図８に示す太陽電池モジュール１０（１０Ａ）における太陽電池モジュール本体１１は、連続する３つの角部が直角とされ、かつ、残りの２つの角部が鈍角とされた平面視で五角形状のものとされている。
【００６２】
枠体１２は、太陽電池モジュール本体１１の外周の側面１１１（ここでは第１側面１１１ａ、第２側面１１１ｂ、第３側面１１１ｃ、第４側面１１１ｄ及び第５側面１１１ｅの５つの側面）部分を囲繞することにより、太陽電池モジュール本体１１の外周縁部を全体に亘って支持するようになっている。枠体１２（１２ａ〜１２ｅ）は、太陽電池モジュール本体１１の各側面１１１（１１１ａ〜１１１ｅ）に対応した５個の枠体とされている。
【００６３】
図８に示す太陽電池モジュール１０（１０Ａ）は、第１枠体１２ａ及び第５枠体１２ｅを連結するための第１継手部材１３と、第３枠体１２ｃ及び第５枠体１２ｅを連結するための第２継手部材１４とをさらに備えている。
【００６４】
第１枠体１２ａは、相対する第２枠体１２ｂよりも短くされている。また、第３枠体１２ｃは、相対する第４枠体１２ｄよりも短くされている。そして、第５枠体１２ｅは第１枠体１２ａ及び第３枠体１２ｃに対して傾斜するように配設されている。
【００６５】
なお、第５枠体１２ｅは、例えば、アルミニウム又はアルミニウム合金製の枠体とされており、押出成形により形成されることにより、長手方向においてそれぞれ同じ断面形状を有している。第５枠体１２ｅは、第３枠体１２ｃ及び第４枠体１２ｄと同様の構成とされており、ここでは、詳しい説明を省略する。
【００６６】
−第１継手部材−
第１枠体１２ａ及び第５枠体１２ｅの接合部では、図８に示すように、第１枠体１２ａと第５枠体１２ｅとのなす内角θ２が９０度よりも大きくなっている。第１枠体１２ａの他端部と第５枠体１２ｅの一端部とが第１継手部材１３を介して連結されている。ここでは、第１枠体１２ａの他端部の端面及び第５枠体１２ｅの一端部の端面は、長手方向に対して平面視で傾斜した接合面とされており、それらの端面が互いに突き合わされて第５枠体１２ｅが第１枠体１２ａに対して傾斜するようになっている。
【００６７】
図１２は、図８に示す太陽電池モジュール１０（１０Ａ）における第１枠体１２ａ及び第５枠体１２ｅの接合部部分を示す概略斜視図である。図１３は、図８に示す第１枠体１２ａ及び第５枠体１２ｅを接合する第１継手部材１３を示す概略斜視図である。図１４は、図１３に示す第１継手部材１３を示す概略正面図である。図１５は、図１３に示す第１継手部材１３を示す概略平面図である。
【００６８】
第１継手部材１３は、例えば、アルミニウム又はアルミニウム合金製の部材とされており、図１３乃至図１５に示すように、屈曲部１３ａを有する板状の屈曲部材とされている。第１継手部材１３は、第１枠体１２ａと第５枠体１２ｅとの接合部に屈曲部１３ａが位置するように配設されている。なお、屈曲部１３ａの角度は、第１枠体１２ａと第５枠体１２ｅとのなす内角θ２（図８参照）と同じ角度とされている。
【００６９】
また、第１継手部材１３は、第１枠体１２ａにおける支持部１２２の空間内に配設される第１板部１３１と、第５枠体１２ｅにおける支持部１２２の空間内に配設される第２板部１３２とを含んでいる。第１板部１３１及び第２板部１３２は、互いに異なる厚みとされており、屈曲部１３ａを境にして連接されている。
【００７０】
第１板部１３１は、厚みが第２板部１３２の厚みよりも小さくされている。第１板部１３１は、図９に示すように、第１枠体１２ａにおける支持部１２２の螺合片１２４を避けるように支持部１２２の長手方向の他方側の空間内に挿入されるようになっている。具体的には、第１板部１３１は、第１枠体１２ａの長手方向の他方側において外側板１２２ｃと螺合片１２４との間に配設されるようになっている。なお、第１板部１３１は、高さが第１枠体１２ａにおける支持部１２２の空間に第１板部１３１が収まる程度の高さになるように形成されている。
【００７１】
また、第１板部１３１は、厚み方向Ｚに予め定めた所定の間隔を隔てて形成された２つのボルト挿入孔１３１ａ，１３１ａ（図１３乃至図１５参照）を有している。また、第１枠体１２ａの支持部１２２には、長手方向の他方側においてボルト挿入孔１３１ａ，１３１ａと対応する位置に、ボルト挿入孔２０ｄ，２０ｄ（図１２参照）が形成されている。なお、ボルト挿入孔２０ｄ，２０ｄは、第１枠体１２ａにおける支持部１２２に螺合片１２４が形成されていることから、例えば、切削加工により形成することができる。
【００７２】
第２板部１３２は、厚みが第１板部１３１の厚みよりも大きくされている。第２板部１３２は、図１０に示すように、厚みが第５枠体１２ｅにおける外側板１２２ｃ及び内側板１２２ｄの間の距離よりも若干小さくなるように形成され、高さが第５枠体１２ｅにおける支持部１２２の空間に第２板部１３２が収まる程度の高さになるように形成されている。詳しくは、第２板部１３２は、第５枠体１２ｅにおける支持部１２２の長手方向の一方側の空間内に挿入されるようになっている。
【００７３】
また、第２板部１３２は、厚み方向Ｚに予め定めた所定の間隔を隔てて形成された２つのボルト挿入孔１３２ａ，１３２ａ（図１３乃至図１５参照）を有している。また、第５枠体１２ｅの支持部１２２には、長手方向の一方側においてボルト挿入孔１３２ａ，１３２ａと対応する位置に、ボルト挿入孔２０ｅ，２０ｅ（図１２参照）が形成されている。なお、ボルト挿入孔２０ｅ，２０ｅは、例えば、打ち抜き加工（プレス加工）により形成することができる。
【００７４】
かかる構成を備えた太陽電池モジュール１０（１０Ａ）では、締結ボルトＢＴ２，ＢＴ２がボルト挿入孔１３１ａ，１３１ａ及びボルト挿入孔２０ｄ，２０ｄに挿入された状態で、締結ボルトＢＴ２，ＢＴ２にナットＮＴ２，ＮＴ２が取り付けられることにより、第１枠体１２ａの長手方向の他方側と第１継手部材１３の第１板部１３１とを締結することができる。また、締結ボルトＢＴ２，ＢＴ２がボルト挿入孔１３２ａ，１３２ａ及びボルト挿入孔２０ｅ，２０ｅに挿入された状態で、締結ボルトＢＴ２，ＢＴ２にナットＮＴ２，ＮＴ２が取り付けられることにより、第５枠体１２ｅの長手方向の一方側と第１継手部材１３の第２板部１３２とを締結することができる。
【００７５】
このようにして、第１枠体１２ａ及び第５枠体１２ｅの接合部では、第１継手部材１３を用いて第１枠体１２ａ及び第５枠体１２ｅを連結するようになっている。ここで、締結ボルトＢＴ２及びナットＮＴ２は、「締結部材」として作用する部材である。
【００７６】
−第２継手部材−
第３枠体１２ｃ及び第５枠体１２ｅの接合部では、図１に示すように、第３枠体１２ｃと第５枠体１２ｅとのなす内角θ３が９０度よりも大きくなっている。第３枠体１２ｃの一端部と第５枠体１２ｅの他端部とが第２継手部材１４を介して連結されている。ここでは、第３枠体１２ｃの一端部の端面及び第５枠体１２ｅの他端部の端面は、長手方向に対して平面視で傾斜した接合面とされており、それらの端面が互いに突き合わされて第５枠体１２ｅが第３枠体１２ｃに対して傾斜するようになっている。
【００７７】
図１６は、図８に示す太陽電池モジュール１０（１０Ａ）における第３枠体１２ｃ及び第５枠体１２ｅの接合部部分を示す概略斜視図である。図１７は、図８に示す第３枠体１２ｃ及び第５枠体１２ｅを接合する第２継手部材１４を示す概略斜視図である。図１８は、図１７に示す第２継手部材１４を示す概略正面図である。また、図１９は、図１７に示す第２継手部材１４を示す概略平面図である。
【００７８】
第２継手部材１４は、例えば、アルミニウム又はアルミニウム合金製の部材とされており、図１６乃至図１９に示すように、屈曲部１４ａを有する板状の屈曲部材とされている。第２継手部材１４は、第３枠体１２ｃと第５枠体１２ｅとの接合部に屈曲部１４ａが位置するように配設されている。なお、屈曲部１４ａの角度は、第３枠体１２ｃと第５枠体１２ｅとのなす内角θ３（図８参照）と同じ角度とされている。
【００７９】
また、第２継手部材１４は、第５枠体１２ｅにおける支持部１２２の空間内に配設される第１板部１４１と、第３枠体１２ｃにおける支持部１２２の空間内に配設される第２板部１４２とを含んでいる。第１板部１４１及び第２板部１４２は、同じ厚みとされており、屈曲部１４ａを境にして連接されている。
【００８０】
第１板部１４１は、図１１に示すように、厚みが第５枠体１２ｅにおける外側板１２２ｃ及び内側板１２２ｄの間の距離よりも若干小さくなるように形成され、高さが第５枠体１２ｅにおける支持部１２２の空間に第１板部１４１が収まる程度の高さになるように形成されている。詳しくは、第１板部１４１は、第５枠体１２ｅにおける支持部１２２の長手方向の他方側の空間内に挿入されるようになっている。
【００８１】
また、第１板部１４１は、厚み方向Ｚに予め定めた所定の間隔を隔てて形成された２つのボルト挿入孔１４１ａ，１４１ａ（図１７乃至図１９参照）を有している。また、第５枠体１２ｅの支持部１２２には、長手方向の一方側においてボルト挿入孔１４１ａ，１４１ａと対応する位置に、ボルト挿入孔２０ｆ，２０ｆ（図１６参照）が形成されている。なお、ボルト挿入孔２０ｆ，２０ｆは、例えば、打ち抜き加工（プレス加工）により形成することができる。
【００８２】
第２板部１４２は、図１１に示すように、厚みが第３枠体１２ｃにおける外側板１２２ｃ及び内側板１２２ｄの間の距離よりも若干小さくなるように形成され、高さが第３枠体１２ｃにおける支持部１２２の空間に第２板部１４２が収まる程度の高さになるように形成されている。詳しくは、第２板部１４２は、第３枠体１２ｃにおける支持部１２２の長手方向の一方側の空間内に挿入されるようになっている。
【００８３】
また、第２板部１４２は、厚み方向Ｚに予め定めた所定の間隔を隔てて形成された２つのボルト挿入孔１４２ａ，１４２ａ（図１７乃至図１９参照）を有している。また、第３枠体１２ｃの支持部１２２には、長手方向の他方側においてボルト挿入孔１４２ａ，１４２ａと対応する位置に、ボルト挿入孔２０ｇ，２０ｇ（図１６参照）が形成されている。なお、ボルト挿入孔２０ｇ，２０ｇは、例えば、打ち抜き加工（プレス加工）により形成することができる。
【００８４】
かかる構成を備えた太陽電池モジュール１０（１０Ａ）では、締結ボルトＢＴ３，ＢＴ３がボルト挿入孔１４１ａ，１４１ａ及びボルト挿入孔２０ｆ，２０ｆに挿入された状態で、締結ボルトＢＴ３，ＢＴ３にナットＮＴ３，ＮＴ３が取り付けられることにより、第５枠体１２ｅの長手方向の他方側と第２継手部材１４の第１板部１４１とを締結することができる。また、締結ボルトＢＴ３，ＢＴ３がボルト挿入孔１４２ａ，１４２ａ及びボルト挿入孔２０ｇ，２０ｇに挿入された状態で、締結ボルトＢＴ３，ＢＴ３にナットＮＴ２，ＮＴ２が取り付けられることにより、第３枠体１２ｃの長手方向の一方側と第２継手部材１４の第２板部１４２とを締結することができる。
【００８５】
このようにして、第３枠体１２ｃ及び第５枠体１２ｅの接合部では、第２継手部材１４を用いて第３枠体１２ｃ及び第５枠体１２ｅを連結するようになっている。ここで、締結ボルトＢＴ３及びナットＮＴ３は、「締結部材」として作用する部材である。
【００８６】
なお、枠体１２（１２ａ〜１２ｅ）は、ここでは、支持部１２２に空間を設けるようにしたが、内側板１２２ｄを除去して支持部１２２の内側を開放するようにしてもよい。この場合、螺合片１２４は外側板１２２ｃに設けることができる。
【００８７】
−補強部材の取り付け例−
そして、図１及び図８に示す太陽電池モジュール１０（１０Ａ）において、補強部材２０は、枠体１２（１２ａ〜１２ｄ）の外縁（具体的には外側板１２２ｃの外面）に囲まれた外縁領域α（図１及び図８の鎖線参照）のうち、固定部ＳＴ〜ＳＴを直線で最小面積になるように囲む多角形の固定部内領域β（図１及び図８の鎖線参照）の内側に設けられた第１支持点Ｑ１と、枠体１２（図１の例では第３枠体１２ｃ、図８の例では第５枠体１２ｅ）における外縁領域αのうちの固定部内領域β以外の固定部外領域γの部分に設けられた第２支持点Ｑ２との間に渡されている。ここで、固定部外領域γは、固定部内領域βの外側で固定部ＳＴ〜ＳＴによって片持ち支持されている領域である。
【００８８】
詳しくは、太陽電池モジュール本体１１の枠体１２（１２ａ〜１２ｄ）における固定部ＳＴ〜ＳＴは、少なくとも２箇所（ここでは４箇所）の締結ボルトＢＴ１〜ＢＴ１により固定される点状の固定部を含み、固定部内領域βは、少なくとも２箇所の点状の固定部を含む３箇所以上（ここでは４箇所）の固定部ＳＴ〜ＳＴを囲んでいる
具体的には、図１に示す四角形状の太陽電池モジュール本体１１を備えた太陽電池モジュール１０（１０Ａ）では、外縁領域α（図１の鎖線参照）は、第１枠体１２ａの外縁（具体的には外側板１２２ｃの外面）と、第２枠体１２ｂの外縁（具体的には外側板１２２ｃの外面）と、第３枠体１２ｃの外縁と、第４枠体１２ｄの外縁とに囲まれた領域とされている。固定部内領域β（図１の鎖線参照）は、一の設置箇所（ここでは一方の横桟４０）に固定された第１枠体１２ａにおける点状の固定部ＳＴ，ＳＴと、他の設置箇所（ここでは他方の横桟４０）に固定された第２枠体１２ｂにおける点状の固定部ＳＴ，ＳＴを直線で最小面積になるように囲んだ領域とされている。そして、補強部材２０は、第２枠体１２ｂにおける固定部内領域βの部分に設けられた第１支持点Ｑ１として作用する雌螺子孔１２３ｂ（図５（ａ）参照）と、第３枠体１２ｃにおける固定部外領域γの部分に設けられた第２支持点Ｑ２として作用する雌螺子孔１２３ｂ（図５（ａ）参照）との間に渡されて螺子部材ＳＣ２によって固定されている。
【００８９】
図８に示す五角形状の太陽電池モジュール本体１１を備えた太陽電池モジュール１０（１０Ａ）では、外縁領域α（図８の鎖線参照）は、第１枠体１２ａの外縁（具体的には外側板１２２ｃの外面）と、第２枠体１２ｂの外縁（具体的には外側板１２２ｃの外面）と、第３枠体１２ｃの外縁と、第４枠体１２ｄの外縁と、第５枠体１２ｅの外縁とに囲まれた領域とされている。固定部内領域β（図８の鎖線参照）は、一の設置箇所（ここでは一方の横桟４０）に固定された第１枠体１２ａにおける点状の固定部ＳＴ，ＳＴと、他の設置箇所（ここでは他方の横桟４０）に固定された第２枠体１２ｂにおける点状の固定部ＳＴ，ＳＴを直線で最小面積になるように囲んだ領域とされている。そして、補強部材２０は、固定部内領域βにおける第２枠体１２ｂに設けられた第１支持点Ｑ１として作用する雌螺子孔１２３ｂ（図５（ａ）参照）と、固定部外領域γにおける第５枠体１２ｅに設けられた第２支持点Ｑ２として作用する雌螺子孔１２３ｂ（図１０参照）との間に渡されて螺子部材ＳＣ２によって固定されている。
【００９０】
なお、第１実施形態では、補強部材２０は、固定部内領域βにおける第１支持点Ｑ１及び固定部外領域γにおける第２支持点Ｑ２に支持された状態で第１支持点Ｑ１及び第２支持点Ｑ２で螺子部材ＳＣ２によって固定されるが、固定部内領域βにおける第１支持点Ｑ１及び固定部外領域γにおける第２支持点Ｑ２で少なくとも支持されていれば、第１支持点Ｑ１及び／又は第２支持点Ｑ２で固定されていなくてもよい。例えば、補強部材２０は、固定部内領域βにおける第１支持点Ｑ１において支持された状態で固定部内領域βから外れた第１支持点Ｑ１とは別の位置（例えば、第２枠体１２ｂの外側板１２２ｃ）で螺子部材ＳＣ２によって固定されていてもよいし、固定部外領域γにおける第２支持点Ｑ２において支持された状態で固定部外領域γから外れた第２支持点Ｑ２とは別の位置（例えば、図１の例では第３枠体１２ｃの外側板１２２ｃ、図８の例では第５枠体１２ｅの外側板１２２ｃ）で螺子部材ＳＣ２によって固定されていてもよい。これらのことは、後述する第２実施形態乃至第５実施形態の補強部材２０及び第２実施形態乃至第４実施形態の別の補強部材３０についても同様である。
【００９１】
［第２実施形態］
図２０は、第２実施形態に係る太陽電池モジュール１０（１０Ｂ）を示す概略平面図である。図２１は、図２０に示す太陽電池モジュール１０（１０Ｂ）における補強部材２０及び別の補強部材３０の交差部分の一構成例を概略的に示す斜視図である。
【００９２】
図２２は、図２０に示すＧ−Ｇ線に沿った概略断面図である。図２３は、図２０に示すＨ−Ｈ線に沿った概略断面図である。なお、図２２に示す第３枠体１２ｃと第４枠体１２ｄとの接合部分、及び、図２３に示す第１枠体１２ａと第２枠体１２ｂとの接合部分は、それぞれ、実質的に同じ構成とされている。このため、図２２及び図２３では、この接合部分はそれぞれ一つの図で示している。
【００９３】
また、図２４は、図２０に示す太陽電池モジュール１０（１０Ｂ）の補強部材２０及び別の補強部材３０を概略的に示す側面図である。図２４（ａ）は、補強部材２０の一例を示しており、図２４（ｂ）は、別の補強部材３０の一例を示している。
【００９４】
図２０に示す太陽電池モジュール１０（１０Ｂ）において、図１に示す太陽電池モジュール１０（１０Ａ）と同じ構成の部材には同一符号を付し、図１に示す太陽電池モジュール１０（１０Ａ）とは異なる点を中心に以下に説明する。このことは、後述する第３実施形態乃至第５実施形態についても同様である。
【００９５】
図２０に示す第２実施形態に係る太陽電池モジュール１０（１０Ｂ）は、別の補強部材３０を備えている以外は、第１実施形態に係る太陽電池モジュール１０（１０Ａ）と実質的に同じ構成とされている。
【００９６】
−補強部材−
補強部材２０は、枠体１２（１２ａ〜１２ｄ）のうち何れか２つの枠体（ここでは第３枠体１２ｃ及び第４枠体１２ｄ）の間に設けられている。
【００９７】
詳しくは、補強部材２０は、２つの枠体（ここでは第３枠体１２ｃ及び第４枠体１２ｄ）の間に太陽電池モジュール本体１１の裏面１１ｂを通過するように裏面１１ｂに固定された状態で斜めに架設されている。補強部材２０は、厚み方向Ｚの他端側における固定部２０ｂ（図２２参照）が枠体１２（ここでは第３枠体１２ｃ及び第４枠体１２ｄ）に固定されている。
【００９８】
−枠体−
第１枠体１２ａ及び第２枠体１２ｂにおける底部片１２３には、後述する別の補強部材３０の垂直板３１（図２０、図２１、図２３及び図２４（ｂ）参照）を嵌入する嵌入溝１２３ｄ（図２０及び図２４（ｂ）参照）が設けられている。
【００９９】
−別の補強部材−
別の補強部材３０は、太陽電池モジュール本体１１の裏面１１ｂ（図２３参照）側を補強するものであり、枠体１２のうち何れか２つの枠体（ここでは第１枠体１２ａ及び第２枠体１２ｂ）の固定部内領域β内の部分の間に設けられている。
【０１００】
詳しくは、別の補強部材３０は、２つの枠体（ここでは第１枠体１２ａ及び第２枠体１２ｂ）の固定部内領域β内の部分の間に太陽電池モジュール本体１１の裏面１１ｂを通過するように裏面１１ｂに固定された状態で直交又は略直交するように架設されている。別の補強部材３０は、厚み方向Ｚにおける一端側において太陽電池モジュール本体１１の裏面１１ｂを支持する支持面３０ａ（図２１、図２３及び図２４（ｂ）参照）を有しており、厚み方向Ｚにおける他端側において枠体１２（ここでは第１枠体１２ａ及び第２枠体１２ｂ）に固定される固定部３０ｂ（図２１、図２３及び図２４（ｂ）参照）を有している。
【０１０１】
具体的には、別の補強部材３０（図２４（ｂ）参照）は、補強部材２０と同様の構成とされており、例えば、アルミニウム又はアルミニウム合金製の部材であり、押出成形により形成されることにより、長手方向において同じ断面形状を有する断面視Ｉ字形状の長尺部材とされている。すなわち、別の補強部材３０は、厚み方向Ｚに沿った垂直板３１と、厚み方向Ｚにおいて垂直板３１の一端部（太陽電池モジュール本体１１側端部）に設けられて厚み方向Ｚに直交する方向に沿った第１水平板３２と、厚み方向Ｚにおいて垂直板３１の他端部（太陽電池モジュール本体１１側とは反対側端部）に設けられて厚み方向Ｚに直交する方向に沿った第２水平板３３とを備えている。別の補強部材３０は、第１水平板３２に支持面３０ａが設けられており、第２水平板３３に固定部３０ｂが設けられている。
【０１０２】
そして、別の補強部材３０は、太陽電池モジュール本体１１の裏面１１ｂを補強するようになっている。詳しくは、別の補強部材３０は、支持面３０ａが太陽電池モジュール本体１１の裏面１１ｂと接着剤や両面粘着シート等の接着部材Ｎ（図２３参照）を介して接着される接着面とされており、固定部３０ｂが螺子部材ＳＣ３（図２３参照）を貫通するように厚み方向Ｚに沿って形成された貫通孔とされている。
【０１０３】
また、第１枠体１２ａ及び第２枠体１２ｂの底部片１２３には、螺子部材ＳＣ３の雄螺子部ＳＣａ（図２３参照）と螺合する１個又は複数個（ここでは２個）の雌螺子孔１２３ｅ（図５及び図６参照）が第１枠体１２ａ及び第２枠体１２ｂの長手方向に沿って並設されている。
【０１０４】
かかる構成を備えた太陽電池モジュール１０（１０Ｂ）では、別の補強部材３０は、垂直板３１が底部片１２３における嵌入溝１２３ｄに嵌入された状態で第２水平板３３の長手方向の両端部における内面３３ａ（図２３参照）が枠体１２の底部片１２３の裏面１２３ｃ（図２３参照）に重ねられて、別の補強部材３０の第２水平板３３の固定部３０ｂ（ここでは貫通孔）を通過した螺子部材ＳＣ３の雄螺子部ＳＣａと、底部片１２３の雌螺子孔１２３ｅとを螺合（固定）することで第１枠体１２ａ及び第２枠体１２ｂと接合されるようになっている。
【０１０５】
−補強部材と別の補強部材との交差部分の一構成例−
ここで、補強部材２０と別の補強部材３０との交差部分は、次のような構成となっている。
【０１０６】
すなわち、補強部材２０及び別の補強部材３０のうち、一方（ここでは補強部材２０）の長手方向における中程の部分には、開口部２４（図２４（ａ）参照）が設けられている。補強部材２０及び別の補強部材３０のうち、他方（ここでは別の補強部材３０）の長手方向における中程の部分には、開口部２４に差し込んで開口部２４と嵌合する溝部３４（図２４（ｂ）参照）が設けられている。
【０１０７】
詳しくは、補強部材２０に設けられた開口部２４（図２４（ａ）参照）は、垂直板２１において別の補強部材３０のＩ字の断面形状よりも若干大きいＩ字形状を横にしたような形状に形成されている。また、別の補強部材３０に設けられた溝部３４（図２４（ｂ）参照）は、一対の溝部３４１，３４２とされており、一方の溝部３４１は、厚み方向Ｚの一方側端部部分が補強部材２０のＩ字の断面形状の厚み方向Ｚの一方側端部部分と略同一形状とされており、他方の溝部３４２は、厚み方向Ｚの他方側端部部分が補強部材２０のＩ字の断面形状の厚み方向Ｚの他方側端部部分と略同一形状とされている。
【０１０８】
具体的には、補強部材２０の垂直板２１における開口部２４（図２４（ａ）参照）は、別の補強部材３０の垂直板３１が差し込まれる第１開口部２４ａと、別の補強部材３０の第１水平板３２又は第２水平板３３が差し込まれる第２開口部２４ｂと、別の補強部材３０の第２水平板３３又は第１水平板３２が差し込まれる第３開口部２４ｃとを有している。また、別の補強部材３０における一方の溝部３４１（図２４（ｂ）参照）は、補強部材２０の垂直板２１における第１開口部２４ａよりも第１水平板２２側部分を嵌め入れる第１溝部３４１ａと、補強部材２０の第１水平板２２を嵌め入れる第２溝部３４１ｂとを有している。別の補強部材３０における他方の溝部３４２は、補強部材２０の垂直板２１における第１開口部２４ａよりも第２水平板２３側部分を嵌め入れる第１溝部３４２ａと、補強部材２０の第２水平板２３を嵌め入れる第２溝部３４２ｂとを有している。なお、補強部材２０及び別の補強部材３０の位置ずれを抑制するという観点から、この例では、一対の溝部３４１，３４２は、平面視或いは底面視で補強部材２０に対して予め定めた所定の傾斜角度θ４（図２０及び図２１参照）だけ傾斜するように形成されている。
【０１０９】
かかる構成を備えた補強部材２０及び別の補強部材３０では、補強部材２０の開口部２４に、別の補強部材３０を横にした状態で差し込んで、別の補強部材３０の溝部３４が補強部材２０の開口部２４に到達したところで、別の補強部材３０を長手方向に沿った軸線回りに略９０°回転させる。そして、別の補強部材３０の第１溝部３４１ａを補強部材２０の垂直板２１における第１開口部２４ａよりも第１水平板２２側部分に嵌め入れ、かつ、別の補強部材３０の第２溝部３４１ｂを補強部材２０の第１水平板２２に嵌め入れるとともに、別の補強部材３０の第１溝部３４２ａを補強部材２０の垂直板２１における第１開口部２４ａよりも第２水平板２３側部分に嵌め入れ、かつ、別の補強部材３０の第２溝部３４２ｂを補強部材２０の第２水平板２３に嵌め入れる。
【０１１０】
このようにして、補強部材２０と別の補強部材３０との交差部分の一構成例では、補強部材２０と別の補強部材３０とを交差させるようになっている。
【０１１１】
−補強部材と別の補強部材との交差部分の他の構成例−
補強部材２０と別の補強部材３０との交差部分の一構成例では、補強部材２０及び別の補強部材３０のうち、一方（図２１の例では補強部材２０）に開口部２４を設け、他方（図２１の例では別の補強部材３０）に溝部３４を設けたが、補強部材２０及び別の補強部材３０の双方に切り欠き部２５，３５を設け、補強部材２０及び別の補強部材３０を切り欠き部２５，３５で互いに嵌め込むようにしてもよい。
【０１１２】
図２５は、図２０に示す太陽電池モジュール１０（１０Ｂ）における補強部材２０及び別の補強部材３０の交差部分の他の構成例を概略的に示す斜視図である。
【０１１３】
図２６は、図２０に示す太陽電池モジュール１０（１０Ｂ）の補強部材２０及び別の補強部材３０を概略的に示す側面図である。図２６（ａ）は、補強部材２０の他の例を示しており、図２６（ｂ）は、別の補強部材３０の他の例を示している。
【０１１４】
補強部材２０及び別の補強部材３０のうち、一方（図２５の例では補強部材２０）の長手方向における中程の太陽電池モジュール本体１１とは反対側の部分には、切り欠き部２５（図２６（ａ）参照）が設けられている。補強部材２０及び別の補強部材３０のうち、他方（図２５の例では別の補強部材３０）の長手方向における中程の太陽電池モジュール本体１１側の部分には、切り欠き部３５（図２６（ｂ）参照）が設けられている。そして、補強部材２０に設けられた切り欠き部２５及び別の補強部材３０に設けられた切り欠き部３５は、互いに差し込まれるようになっている。
【０１１５】
詳しくは、補強部材２０における切り欠き部２５（図２６（ａ）参照）は、厚み方向Ｚの他方側端部部分が別の補強部材３０のＩ字の断面形状の厚み方向Ｚの他方側端部部分と略同一形状とされている。別の補強部材３０における切り欠き部３５（図２６（ｂ）参照）は、厚み方向Ｚの一方側端部部分が補強部材２０のＩ字の断面形状の厚み方向Ｚの一方側端部部分と略同一形状とされている。
【０１１６】
具体的には、補強部材２０における切り欠き部２５（図２６（ａ）参照）は、別の補強部材３０の垂直板３１における第１切り欠き部３５ａよりも第２水平板３３側部分を嵌め入れる第１切り欠き部２５ａと、別の補強部材３０の第２水平板３３を嵌め入れる第２切り欠き部２５ｂとを有している。別の補強部材３０における切り欠き部３５（図２６（ｂ）参照）は、補強部材２０の垂直板２１における第１切り欠き部２５ａよりも第１水平板２２側部分を嵌め入れる第１切り欠き部３５ａと、補強部材２０の第１水平板２２を嵌め入れる第２切り欠き部３５ｂとを有している。なお、補強部材２０及び別の補強部材３０の位置ずれを抑制するという観点から、この例では、切り欠き部２５及び切り欠き部３５は、底面視或いは平面視で補強部材２０に対して予め定めた所定の傾斜角度θ４（図２０及び図２５参照）だけ傾斜するように形成されている。
【０１１７】
かかる構成を備えた補強部材２０及び別の補強部材３０では、別の補強部材３０の第１切り欠き部３５ａを補強部材２０の垂直板２１における第１切り欠き部２５ａよりも第１水平板２２側部分に嵌め入れるとともに、補強部材２０の第１切り欠き部２５ａを別の補強部材３０の垂直板３１における第１切り欠き部３５ａよりも第２水平板３３側部分に嵌め入れ、かつ、別の補強部材３０の第２切り欠き部３５ｂを補強部材２０の第１水平板２２に嵌め入れるとともに、補強部材２０の第２切り欠き部２５ｂを別の補強部材３０の第２水平板３３に嵌め入れる。
【０１１８】
このようにして、補強部材２０と別の補強部材３０との交差部分の他の構成例では、補強部材２０と別の補強部材３０とを交差させるようになっている。
【０１１９】
なお、補強部材２０と別の補強部材３０との交差部分の一構成例及び他の構成例において、開口部２４や切り欠き部２５，３５を設けることによる強度低下を抑えるために、開口部２４や切り欠き部２５，３５はできるだけ小さくすることが好ましい。また、別の補強部材３０の厚さは、補強部材２０の厚さと同程度とすることが好ましい。
【０１２０】
また、補強部材２０と別の補強部材３０との交差部分（第１支持点Ｑ１）は、前記した一構成例のように、差し込む、或いは、前記した他の構成例のように、嵌め込むだけでなく、ビスなどの固定部材による固定や、締結ボルト及びナットにより固定するようにしてもよい。
【０１２１】
ここで、ビスなどの固定部材による固定や、締結ボルト及びナットによる固定において、補強部材２０と別の補強部材３０との間に隙間がある場合は、スペーサを設けることが好ましい。こうすることで、ビスなどの固定部材による固定や、締結ボルト及びナットによる固定時の締め付けトルクによって補強部材２０及び／又は別の補強部材３０が変形することを防止することが可能となる。
【０１２２】
また、開口部２４、溝部３４や切り欠き部２５，３５を設けることなく、補強部材２０と別の補強部材３０との厚さを小さくして、補強部材２０と別の補強部材３０とを単に重ねるだけとすることもできる。この場合も、別の補強部材３０の厚さは、補強部材２０の厚さと同程度とすることが好ましい。
【０１２３】
補強部材２０と別の補強部材３０との厚さを小さくして補強部材２０と別の補強部材３０とを重ねる場合、例えば、別の補強部材３０を太陽電池モジュール本体１１側に位置するように、かつ、補強部材２０を太陽電池モジュール本体１１とは反対側（設置箇所側）に位置するように、補強部材２０と別の補強部材３０とを重ねることで、補強部材２０は、枠体１２の太陽電池モジュール本体１１とは反対側（具体的には底部片１２３）にて固定部材（具体的には螺子部材ＳＣ２）によって接合することができる。一方、別の補強部材３０は、枠体１２の太陽電池モジュール本体１１とは反対側（具体的には底部片１２３）から離れるものの、第１支持点Ｑ１を形成することを考慮すれば、別の補強部材３０と枠体１２とが交差している箇所をビスなどの固定部材によって接合することができる。
【０１２４】
また、別の補強部材３０を枠体１２の太陽電池モジュール本体１１側に設ける場合、枠体１２の太陽電池モジュール本体１１とは反対側（具体的には底部片１２３）との間の隙間を埋めるようにして別の補強部材３０を枠体１２に接合することが可能となる。例えば、別の補強部材３０と枠体１２の太陽電池モジュール本体１１とは反対側（具体的には底部片１２３）との間の隙間を埋める態様としては、該隙間に該隙間を埋めるためのスペーサを設ける態様や、別の補強部材３０と枠体１２との少なくとも一方の別の補強部材３０と枠体１２との接合部分での厚みを増やす態様を例示できる。
【０１２５】
そして、このような場合も、補強部材２０と別の補強部材３０との交差部分（第１支持点Ｑ１）は、ビスなどの固定部材による固定や、締結ボルト及びナットによる固定とすることができる。
【０１２６】
ここでは、補強部材２０及び別の補強部材３０は、断面視Ｉ字形状のものとされているが、断面視Ｃ字形状、断面視一辺が開放した四角形状、断面視Ｌ字形状、断面視四角形状のものであってもよいことは言うまでもない。
【０１２７】
−補強部材及び別の補強部材の取り付け例−
そして、図２０に示す太陽電池モジュール１０（１０Ｂ）において、補強部材２０は、枠体１２（１２ａ〜１２ｄ）の外縁に囲まれた外縁領域α（図２０の鎖線参照）のうち、固定部ＳＴ〜ＳＴを直線で最小面積になるように囲む多角形の固定部内領域β（図２０の鎖線参照）の内側に設けられた第１支持点Ｑ１と、枠体１２（ここでは第３枠体１２ｃ）における外縁領域αのうちの固定部内領域β以外の固定部外領域γの部分に設けられた第２支持点Ｑ２との間に渡されている。詳しくは、第１支持点Ｑ１は、別の補強部材３０の内分点に設けられている。
【０１２８】
また、固定部外領域γは、第２支持点Ｑ２を含む第１固定部外領域γ１（図２０参照）と、第１固定部外領域γ１とは異なる（第１固定部外領域γ１に対して固定部内領域βを隔てた位置にある）第２固定部外領域γ２（図２０参照）とを有している。
【０１２９】
補強部材２０は、単一のものとされており、補強部材３０における固定部内領域β内の内分点に設けられた第１支持点Ｑ１と、枠体１２（ここでは第３枠体１２ｃ）における第１固定部外領域γ１の部分に設けられた第２支持点Ｑ２と、別の補強部材３０の内分点に設けられた第１支持点Ｑ１から延伸して、枠体１２（ここでは第４枠体１２ｄ）における第２固定部外領域γ２の部分に設けられた第３支持点Ｑ３との間に渡されている。
【０１３０】
具体的には、図２０に示す太陽電池モジュール１０（１０Ｂ）では、外縁領域α（図２０の鎖線参照）は、第１枠体１２ａの外縁と、第２枠体１２ｂの外縁と、第３枠体１２ｃの外縁と、第４枠体１２ｄの外縁とに囲まれた領域とされている。固定部内領域β（図２０の鎖線参照）は、一の設置箇所（ここでは一方の横桟４０）に固定された第１枠体１２ａにおける点状の固定部ＳＴ，ＳＴと、他の設置箇所（ここでは他方の横桟４０）に固定された第２枠体１２ｂにおける点状の固定部ＳＴ，ＳＴを直線で最小面積になるように囲んだ領域とされている。そして、補強部材２０は、別の補強部材３０における固定部内領域βの部分に設けられた第１支持点Ｑ１として作用する別の補強部材３０の内分点と、第３枠体１２ｃの固定部外領域γ（第１固定部外領域γ１）の部分に設けられた第２支持点Ｑ２として作用する雌螺子孔１２３ｂ（図２２参照）と、さらには、第４枠体１２ｄの固定部外領域γ（第２固定部外領域γ２）の部分に設けられた第３支持点Ｑ３として作用する雌螺子孔１２３ｂ（図２２参照）との間に渡されて螺子部材ＳＣ２によって固定されている。
【０１３１】
［第３実施形態］
図２７は、第３実施形態に係る太陽電池モジュール１０（１０Ｃ）を示す概略平面図である。なお、図１、図８及び図２０において破線で示していた垂直板２１，３１は、図２７並びに後述する図２８及び図３０において図示を省略している。
【０１３２】
図２７に示す第３実施形態に係る太陽電池モジュール１０（１０Ｃ）では、図２０に示す第２実施形態に係る太陽電池モジュール１０（１０Ｂ）において、太陽電池モジュール本体１１の第１固定部外領域γ１での第１重量Ｗ１と、太陽電池モジュール本体１１の第２固定部外領域γ２での第２重量Ｗ２との重量比（例えばＷ１／Ｗ２）が、補強部材２０の第１支持点Ｑ１及び第３支持点Ｑ３の間の第１距離Ｌ１と、補強部材２０の第１支持点Ｑ１及び第２支持点Ｑ２の間の第２距離Ｌ２との比（例えばＬ１／Ｌ２）とほぼ等しくなる位置に、第１支持点Ｑ１が設けられている。Ｗ１／Ｗ２とＬ１／Ｌ２との比は、必ずしも完全に等しい必要はなく、ほぼ等しければよい。
【０１３３】
−設置箇所を支柱とする場合−
以上説明した第１実施形態乃至第３実施形態では、設置箇所として第１面方向Ｘに沿った横桟４０を用いたが、後述する第４実施形態及び第５実施形態のように、第２面方向Ｙに沿った支柱５０（図２８乃至図３０参照）を用いてもよい。
【０１３４】
［第４実施形態］
図２８は、第４実施形態に係る太陽電池モジュール１０（１０Ｄ）を示す概略平面図である。図２９は、図２８に示す太陽電池モジュール１０（１０Ｄ）における第１枠体１２ａ及び第２枠体１２ｂと支柱５０との連結部分を概略的に示す分解斜視図である。
【０１３５】
図２８に示す第４実施形態に係る太陽電池モジュール１０（１０Ｄ）では、図２０に示す第２実施形態に係る太陽電池モジュール１０（１０Ｂ）において、太陽電池モジュール１０の設置箇所として、横桟４０（具体的には一対の横桟４０，４０）に代えて支柱５０（具体的には一対の支柱５０，５０）が設けられ、補強部材２０が支柱５０に沿った枠体１２（ここでは第３枠体１２ｃ及び第４枠体１２ｄ）に架設され、補強部材３０が支柱５０と交差する枠体１２（ここでは第１枠体１２ａ及び第２枠体１２ｂ）に架設されている。
【０１３６】
支柱５０は、屋根等の設置面に固定されるものであり、第２面方向Ｙに沿って（ここでは第１枠体１２ａ及び第２枠体１２ｂに直交する方向に）延びた長尺状の部材とされている。支柱５０は、枠体１２（ここでは第１枠体１２ａ及び第２枠体１２ｂ）が取り付けられるようになっている。支柱５０には、枠体１２（ここでは第１枠体１２ａ及び第２枠体１２ｂ）の固定部ＳＴに対応する設置固定部５０ａ（ここでは締結ボルトＢＴ１の雄螺子部ＢＴａを貫通する貫通孔）（図２９参照）が設けられている。具体的には、枠体１２（ここでは第１枠体１２ａ及び第２枠体１２ｂ）は、２本の支柱５０に対して２箇所の固定部ＳＴ，ＳＴをそれぞれ有している。すなわち、太陽電池モジュール１０は、屋根等の設置面に固定された一対の支柱５０，５０のそれぞれ２箇所の設置固定部５０ａ，５０ａに対して合計４箇所の固定部ＳＴ〜ＳＴで第１枠体１２ａ及び第２枠体１２ｂの底部片１２３と支柱５０との間にスペーサＳＰを存した状態で座金ＷＳを介した締結ボルトＢＴ１及びナットＮＴ１による固定部材によって固定されている。
【０１３７】
図２８に示す第４実施形態に係る太陽電池モジュール１０（１０Ｄ）においても、補強部材２０は、枠体１２（１２ａ〜１２ｄ）の外縁（具体的には外側板１２２ｃの外面）に囲まれた外縁領域α（図２８の鎖線参照）のうち、固定部ＳＴ〜ＳＴを直線で最小面積になるように囲む多角形の固定部内領域β（図２８の鎖線参照）の内側に設けられた第１支持点Ｑ１と、枠体１２（図２８の例では第３枠体１２ｃ）における外縁領域αのうちの固定部内領域β以外の固定部外領域γの部分に設けられた第２支持点Ｑ２との間に渡されている。詳しくは、第１支持点Ｑ１は、別の補強部材３０の内分点に設けられている。
【０１３８】
また、固定部外領域γは、第２支持点Ｑ２を含む第１固定部外領域γ１（図２８参照）と、第１固定部外領域γ１とは異なる（第１固定部外領域γ１に対して固定部内領域βを隔てた位置にある）第２固定部外領域γ２（図２８参照）とを有している。
【０１３９】
補強部材２０は、単一のものとされており、補強部材３０における固定部内領域β内の内分点に設けられた第１支持点Ｑ１と、枠体１２（ここでは第３枠体１２ｃ）における第１固定部外領域γ１の部分に設けられた第２支持点Ｑ２と、別の補強部材３０の内分点に設けられた第１支持点Ｑ１から延伸して、枠体１２（ここでは第４枠体１２ｄ）における第２固定部外領域γ２の部分に設けられた第３支持点Ｑ３との間に渡されている。
【０１４０】
具体的には、図２８に示す太陽電池モジュール１０（１０Ｄ）では、外縁領域α（図２８の鎖線参照）は、第１枠体１２ａの外縁と、第２枠体１２ｂの外縁と、第３枠体１２ｃの外縁と、第４枠体１２ｄの外縁とに囲まれた領域とされている。固定部内領域β（図２８の鎖線参照）は、一の設置箇所（ここでは一方の支柱５０）に固定された第１枠体１２ａにおける点状の固定部ＳＴ，ＳＴと、他の設置箇所（ここでは他方の支柱５０）に固定された第２枠体１２ｂにおける点状の固定部ＳＴ，ＳＴを直線で最小面積になるように囲んだ領域とされている。そして、補強部材２０は、別の補強部材３０における固定部内領域βの部分に設けられた第１支持点Ｑ１として作用する別の補強部材３０の内分点と、第３枠体１２ｃの固定部外領域γ（第１固定部外領域γ１）の部分に設けられた第２支持点Ｑ２として作用する雌螺子孔１２３ｂ（図２２参照）と、さらには、第４枠体１２ｄの固定部外領域γ（第２固定部外領域γ２）の部分に設けられた第３支持点Ｑ３として作用する雌螺子孔１２３ｂ（図２２参照）との間に渡されて螺子部材ＳＣ２によって固定されている。
【０１４１】
また、補強部材２０は、第３枠体１２ｃ及び第４枠体１２ｄの長手方向の中央部の間で直角又は略直角に架設されている。別の補強部材３０は、第１枠体１２ａ及び第２枠体１２ｂの長手方向の中央部の間で直角又は略直角に架設されている。
【０１４２】
なお、第４実施形態に係る太陽電池モジュール１０（１０Ｄ）は、太陽電池モジュール本体１１が図８に示すような五角形状のものとされていてもよい。
【０１４３】
［第５実施形態］
図３０は、第５実施形態に係る太陽電池モジュール１０（１０Ｅ）を示す概略平面図である。
【０１４４】
図３０に示す第５実施形態に係る太陽電池モジュール１０（１０Ｅ）では、図１に示す第１実施形態に係る太陽電池モジュール１０（１０Ａ）において、太陽電池モジュール１０の設置箇所として、横桟４０（具体的には一対の横桟４０，４０）に代えて支柱５０（具体的には一対の支柱５０，５０）が設けられ、単一の補強部材２０に代えて複数（ここでは２つ）の補強部材２０，２０が設けられ、２つの補強部材２０，２０が平行又は略平行に、かつ、枠体１２に対して斜めに架設されている。
【０１４５】
詳しくは、一方の補強部材２０は、第３枠体１２ｃ及び第２枠体１２ｂの長手方向の中央部の間で略４５°斜めに架設されており、他方の補強部材２０は、第１枠体１２ａ及び第４枠体１２ｄの長手方向の中央部の間で略４５°斜めに架設されている。
【０１４６】
ここで、支柱５０の構成は、第４実施形態の場合と同様であり、ここでは説明を省略する。
【０１４７】
図３０に示す第５実施形態に係る太陽電池モジュール１０（１０Ｅ）においても、複数（ここでは２つ）の補強部材２０，２０は、枠体１２（１２ａ〜１２ｄ）の外縁（具体的には外側板１２２ｃの外面）に囲まれた外縁領域α（図３０の鎖線参照）のうち、固定部ＳＴ〜ＳＴを直線で最小面積になるように囲む多角形の固定部内領域β（図３０の鎖線参照）の内側に設けられた複数箇所（ここでは２箇所）の第１支持点Ｑ１，Ｑ１と、枠体１２（図３０の例では第３枠体１２ｃ及び第４枠体１２ｄ）における外縁領域αのうちの固定部内領域β以外の固定部外領域γ（第１固定部外領域γ１及び第２固定部外領域γ２）の部分に設けられた複数箇所（ここでは２箇所）の第２支持点Ｑ２，Ｑ２との間に渡されている。
【０１４８】
具体的には、図３０に示す太陽電池モジュール１０（１０Ｅ）では、外縁領域α（図３０の鎖線参照）は、第１枠体１２ａの外縁（具体的には外側板１２２ｃの外面）と、第２枠体１２ｂの外縁（具体的には外側板１２２ｃの外面）と、第３枠体１２ｃの外縁と、第４枠体１２ｄの外縁とに囲まれた領域とされている。固定部内領域β（図３０の鎖線参照）は、一の設置箇所（ここでは一方の支柱５０）に固定された第１枠体１２ａにおける点状の固定部ＳＴ，ＳＴと、他の設置箇所（ここでは他方の支柱５０）に固定された第２枠体１２ｂにおける点状の固定部ＳＴ，ＳＴを直線で最小面積になるように囲んだ領域とされている。そして、補強部材２０は、第２枠体１２ｂにおける固定部内領域βの部分に設けられた２箇所の第１支持点Ｑ１，Ｑ１として作用する雌螺子孔１２３ｂ，１２３ｂ（図５（ａ）参照）と、第３枠体１２ｃにおける固定部外領域γ（第１固定部外領域γ１及び第２固定部外領域γ２）の部分に設けられた２箇所の第２支持点Ｑ２，Ｑ２として作用する雌螺子孔１２３ｂ（図５（ａ）参照）との間に渡されて螺子部材ＳＣ２によって固定されている。
【０１４９】
なお、第５実施形態に係る太陽電池モジュール１０（１０Ｅ）は、太陽電池モジュール本体１１が図８に示すような五角形状のものとされていてもよい。
【０１５０】
［第１実施形態乃至第５実施形態について］
以上説明したように、第１実施形態乃至第５実施形態によれば、補強部材２０は、枠体１２（１２ａ〜１２ｄ）の外縁に囲まれた外縁領域αのうち、固定部ＳＴ〜ＳＴを囲む多角形の固定部内領域βの内側に設けられた第１支持点Ｑ１と、外縁領域αのうち、固定部内領域β以外の固定部外領域γにおける枠体１２（ここでは一方の第１枠体１２ａ）に設けられた第２支持点Ｑ２との間に渡されているので、固定部内領域βにおいて第１支持点Ｑ１に支持された補強部材２０によって固定部外領域γを第２支持点Ｑ２の枠体１２（図１、図２０、図２７、図２８及び図３０の例では第３枠体１２ｃ、図８の例では第５枠体１２ｅ）の部分において補強することができる。これにより、太陽電池モジュール本体１１への荷重による太陽電池モジュール１０（１０Ａ〜１０Ｅ）の固定部外領域γの部分での撓みを抑制でき、これにより、長期に亘って信頼性を維持することが可能となる。
【０１５１】
詳しくは、固定部ＳＴ〜ＳＴによって囲まれた固定部内領域βの内側に設けられた第１支持点Ｑ１に支持された補強部材２０によって第２支持点Ｑ２を補強することで、補強部材２０を通じて第２支持点Ｑ２を第１支持点Ｑ１によって支えることができるため、例えば、第２支持点Ｑ２を含む固定部外領域γに正荷重や負荷重がかかった場合でも、補強部材２０を通して第１支持点Ｑ１に支持された第２支持点Ｑ２によって固定部外領域γを撓み難くすることができる。
【０１５２】
また、第１実施形態乃至第５実施形態では、補強部材２０は直線状の部材とされている。第２実施形態では、別の補強部材３０も直線状の部材とされている。こうすることで、補強部材２０及び別の補強部材３０の加工がし易く、かつ、太陽電池モジュール１０（１０Ａ〜１０Ｅ）の組立作業性を向上させることが可能となる。
【０１５３】
ところで、第１実施形態乃至第３実施形態では、例えば、横桟４０或いは支柱５０が配設できない箇所ができ（図１、図８、図２０及び図２７の例では上側の横桟４０の左側は、下り棟があるので配置できない箇所ができ）、横桟４０或いは支柱５０に固定する固定部ＳＴ〜ＳＴが太陽電池モジュール本体１１の角部δに配置できないことが多い。このような場合、補強部材２０や別の補強部材３０がないと、固定部外領域γの角部δが撓みやすい。このことは、図８に示すような五角形状の太陽電池モジュール本体１１（寄棟屋根用コーナーモジュール等）の場合に特に顕著となる、
この点、第１実施形態乃至第３実施形態では、太陽電池モジュール本体１１は多角形状（図１、図２０及び図２７の例では四角形状、図８の例では五角形状）であり、太陽電池モジュール本体１１の少なくとも１つの角部δ（図１、図２０及び図２７の例では第１枠体１２ａと第３枠体１２ｃとの角部、図８の例では第３枠体１２ｃと第５枠体１２ｅとの角部）は、固定部外領域γに位置しており、第２支持点Ｑ２は、固定部外領域γにおける角部δの近傍に設けられている。ここで、「角部δの近傍」とは、角部δにできるだけ近いことを意味するが、実質的には角部δを構成する枠体１２（図１、図２０及び図２７の例では第１枠体１２ａ及び第３枠体１２ｃ、図８の例では第３枠体１２ｃ及び第５枠体１２ｅ）の辺の長さを３等分し、そのうち最も角部δに近い枠（図１、図２０及び図２７の例では第３枠体１２ｃ、図８の例では第５枠体１２ｅ）の部分の領域を「近傍」とすることができる。なお、この領域であれば、角部δの撓みに対しての抑制効果が構造シミュレーションで確認することができた。
【０１５４】
このように、第２支持点Ｑ２を固定部外領域γにおける角部δの近傍に設けることで、固定部内領域βにおいて第１支持点Ｑ１に支持された補強部材２０によって固定部外領域γに位置している角部δの近傍に設けられた第２支持点Ｑ２の枠体１２（図１、図２０及び図２７の例では第３枠体１２ｃ、図８の例では第５枠体１２ｅ）の部分において補強することができる。これにより、角部δが固定部外領域γに位置している場合でも、太陽電池モジュール本体１１への荷重による太陽電池モジュール１０（１０Ａ〜１０Ｃ）の固定部外領域γの部分での撓みを確実に抑制することが可能となる。
【０１５５】
また、第１実施形態及び第５実施形態では、第１支持点Ｑ１は、枠体１２（図１及び図８の例では第２枠体１２ｂ、図３０の例では第１枠体１２ａ及び第２枠体１２ｂ）における固定部内領域βの部分に設けられている。
【０１５６】
このように、第１支持点Ｑ１を枠体１２（図１及び図８の例では第２枠体１２ｂ、図３０の例では第１枠体１２ａ及び第２枠体１２ｂ）における固定部内領域βの部分に設けることで、補強部材２０を枠体１２（図１及び図８の例では第２枠体１２ｂ、図３０の例では第１枠体１２ａ及び第２枠体１２ｂ）における固定部内領域βの部分と枠体１２（図１の例では第３枠体１２ｃ、図８の例では第５枠体１２ｅ、図３０の例では第３枠体１２ｃ及び第４枠体１２ｄ）における固定部外領域γの部分との間に渡すことができ、枠体１２（図１及び図８の例では第２枠体１２ｂ、図３０の例では第１枠体１２ａ及び第２枠体１２ｂ）の固定部内領域βの部分において第１支持点Ｑ１に支持された補強部材２０によって固定部外領域γに位置している第２支持点Ｑ２の枠体１２（図１の例では第３枠体１２ｃ、図８の例では第５枠体１２ｅ、図３０の例では第３枠体１２ｃ及び第４枠体１２ｄ）の部分において安定した状態で補強することができる。これにより、太陽電池モジュール本体１１への荷重による太陽電池モジュール１０（１０Ａ，１０Ｅ）の固定部外領域γの部分での撓みをさらに抑制することが可能となる。
【０１５７】
また、第２実施形態乃至第４実施形態では、別の補強部材３０は、枠体１２（図２０、図２７及び図２８の例では第１枠体１２ａ及び第２枠体１２ｂ）における固定部内領域βの部分の間に渡されており、第１支持点Ｑ１は、別の補強部材３０の内分点に設けられている。
【０１５８】
このように、第１支持点Ｑ１を、固定部ＳＴ〜ＳＴで設置箇所（図２０及び図２７の例では横桟４０、図２８の例では支柱５０）に固定された枠体１２（図２０、図２７及び図２８の例では第１枠体１２ａ及び第２枠体１２ｂ）における固定部内領域βの部分の間に渡された別の補強部材３０の内分点に設けることで、別の補強部材３０全体を安定して枠体１２（図２０、図２７及び図２８の例では第１枠体１２ａ及び第２枠体１２ｂ）における固定部内領域βの部分に固定させることができる。しかも、第１支持点Ｑ１を枠体１２（図２０、図２７及び図２８の例では第１枠体１２ａ及び第２枠体１２ｂ）における固定部内領域βの部分に設ける場合に比べて第１支持点Ｑ１と第２支持点Ｑ２との間の距離を短くすることができ、それだけ補強部材２０の強度を向上させることができ、ひいては補強部材２０自体の撓みを少なくすることができる。これにより、太陽電池モジュール本体１１への荷重による太陽電池モジュール１０（１０Ｂ〜１０Ｄ）の固定部外領域γの部分での撓みをさらに抑制することが可能となる。
【０１５９】
なお、補強部材２０と別の補強部材３０との交差部分（第１支持点Ｑ１）は、図２１及び図２４に示す一構成例のように、差し込む、或いは、図２５及び図２６に示す他の構成例のように、嵌め込むだけでなく、ビスなどの固定部材による固定や、締結ボルト及びナットによる固定とすることで、より確実に補強部材２０と別の補強部材３０との位置ずれを抑えることができるとともに、太陽電池モジュール本体１１への正負荷による太陽電池モジュールの固定部外領域γの部分での撓みと太陽電池モジュール本体１１への負負荷による太陽電池モジュールの固定部外領域γの部分での撓みとの双方に、より確実に対応させることができる構造とすることができる。
【０１６０】
また、第２実施形態乃至第５実施形態では、固定部外領域γは、第２支持点Ｑ２を含む第１固定部外領域γ１（図２０、図２７、図２８及び図３０参照）と、第１固定部外領域γ１とは異なる（第１固定部外領域γ１に対して固定部内領域βを隔てた位置にある）第２固定部外領域γ２（図２０、図２７、図２８及び図３０参照）とを有している。
【０１６１】
ところで、第５実施形態では、補強部材２０（図３０参照）は、複数（ここでは２つ）の補強部材２０，２０とされており、一方の補強部材２０は、枠体１２（図３０の例では第２枠体１２ｂ）における固定部内領域βの部分に設けられた第１支持点Ｑ１と、枠体１２（図３０の例では第３枠体１２ｃ）における第１固定部外領域γ１の部分に設けられた第２支持点Ｑ２との間に渡されており、他方の補強部材２０は、枠体１２（図３０の例では第１枠体１２ａ）における固定部内領域βの部分に設けられた第１支持点Ｑ１と、枠体１２（図３０の例では第４枠体１２ｄ）における第２固定部外領域γ２の部分に設けられた第２支持点Ｑ２との間に渡されている。かかる構成によれば、補強部材２０は、固定部外領域γの個数に対応した数だけ必要となる。
【０１６２】
この点、第２実施形態乃至第４実施形態では、補強部材２０は、単一のものとされており、別の補強部材３０の内分点に設けられた第１支持点Ｑ１から延伸して、枠体１２（図２０、図２７及び図２８の例では第４枠体１２ｄ）における第２固定部外領域γ２の部分に設けられた第３支持点Ｑ３と、枠体１２（図２０、図２７及び図２８の例では第３枠体１２ｃ）における第１固定部外領域γ１の部分に設けられた第２支持点Ｑ２との間に渡されている。
【０１６３】
このように、単一の補強部材２０を、枠体１２（図２０、図２７及び図２８の例では第４枠体１２ｄ）における第２固定部外領域γ２の部分に設けられた第３支持点Ｑ３と枠体１２（図２０、図２７及び図２８の例では第３枠体１２ｃ）における第１固定部外領域γ１の部分に設けられた第２支持点Ｑ２との間に渡すことで、第２実施形態乃至第４実施形態のように、第２支持点Ｑ２を含む第１固定部外領域γ１と第３支持点Ｑ３を含む第２固定部外領域γ２とが個別に分散して設けられている場合であっても、固定部内領域βにおいて別の補強部材３０の内分点に設けられた第１支持点Ｑ１に支持された単一の補強部材２０によって第１固定部外領域γ１と第２固定部外領域γ２との双方を第２支持点Ｑ２と第３支持点Ｑ３との双方の枠体１２（図２０、図２７及び図２８の例では第４枠体１２ｄ及び第３枠体１２ｃ）の部分においてそれぞれ補強することができる。従って、第２実施形態乃至第４実施形態のように、補強部材２０がたとえ単一のものであっても太陽電池モジュール１０（１０Ｂ〜１０Ｄ）の第１固定部外領域γ１と第２固定部外領域γ２との双方の部分での撓みを確実に抑制することが可能となる。
【０１６４】
また、第３実施形態では、第１支持点Ｑ１は、太陽電池モジュール本体１１の第１固定部外領域γ１での第１重量Ｗ１（図２７参照）と、太陽電池モジュール本体１１の第２固定部外領域γ２での第２重量Ｗ２（図２７参照）との重量比（例えばＷ１／Ｗ２）が、補強部材２０の第１支持点Ｑ１及び第３支持点Ｑ３の間の第１距離Ｌ１（図２７参照）と、補強部材２０の第１支持点Ｑ１及び第２支持点Ｑ２の間の第２距離Ｌ２（図２７参照）との比（例えばＬ１／Ｌ２）とほぼ等しくなる位置に設けられている。
【０１６５】
このように、第２支持点Ｑ２を含む第１固定部外領域γ１での太陽電池モジュール本体１１の第１重量Ｗ１と第３支持点Ｑ３を含む第２固定部外領域γ２での太陽電池モジュール本体１１の第２重量Ｗ２との重量比（例えばＷ１／Ｗ２）が補強部材２０の第１支持点Ｑ１及び第３支持点Ｑ３の間の第１距離Ｌ１と第１支持点Ｑ１及び第２支持点Ｑ２の間の第２距離Ｌ２（例えばＬ１／Ｌ２）との比とほぼ等しくなるように第１支持点Ｑ１を定めることで、第１支持点Ｑ１を支点として、太陽電池モジュール本体１１の第１固定部外領域γ１と第２固定部外領域γ２との重量バランスを考慮した補強部材２０における第１支持点Ｑ１の位置を決めることができ、これにより、太陽電池モジュール１０（１０Ｃ）の第１固定部外領域γ１と第２固定部外領域γ２との双方の部分での太陽電池モジュール本体１１の重量に起因する撓みを効果的に抑制することが可能となる。また、第１支持点Ｑ１は補強部材２０の支点として機能することができるので、第１支持点Ｑ１において補強部材２０と別の補強部材３０とを強固に接続しなくともよく、位置ずれさえ抑えるこができればよいことから、補強部材２０及び別の補強部材３０の交差部分の構造を、例えば、嵌合など簡単な構造とすることができる。
【０１６６】
また、第４実施形態のように、支柱５０の幅などのサイズや形状の制約によって固定部内領域βが太陽電池モジュール本体１１に対して狭くなり、これにより固定部ＳＴ〜ＳＴの配設位置に制約を受ける場合であっても、枠体１２（図２８の例では第１枠体１２ａ及び第２枠体１２ｂ）の固定部内領域βの部分の間に別の補強部材３０を渡して、補強部材３０の内分点を第１支持点Ｑ１として、枠体１２（図２８の例では第１固定部外領域γ１の第３枠体１２ｃ及び第２固定部外領域γ２の第４枠体１２ｄ）の固定部外領域γの部分を第２支持点Ｑ２及び第３支持点Ｑ３にて補強部材２０で支持することができる。従って、固定部ＳＴ〜ＳＴの配設位置の制約を殆ど受けることなく、正荷重や負荷重に対して撓み難い太陽電池モジュール１０（１０Ｄ）とすることができる。
【０１６７】
また、第５実施形態のように、２つの補強部材２０，２０を設けることで、枠体１２（図３０の例では第３枠体１２ｃ）の第１固定部外領域γ１の部分及び枠体１２（図３０の例では第４枠体１２ｄ）の第２固定部外領域γ２の部分を２つの第２支持点Ｑ２，Ｑ２でそれぞれ支持することができる。
【０１６８】
また、第１実施形態乃至第５実施形態では、固定部ＳＴ〜ＳＴは、少なくとも２箇（図１、図８、図２０、図２７、図２８及び図３０の例では４箇所）の点状の固定部を含んでいる。固定部内領域βは、少なくとも２箇所の点状の固定部を含む３箇所以上（図１、図８、図２０、図２７、図２８及び図３０の例では４箇所）の固定部ＳＴ〜ＳＴを囲んでいる。
【０１６９】
ここで、点状の固定部ＳＴ〜ＳＴは、予め定めた所定の長さ以下の直径（例えば設置箇所に固定する固定部材として作用する締結ボルトＢＴ１程度の径）を有するものとされている。
【０１７０】
このように、固定部内領域βが囲む固定部ＳＴ〜ＳＴが点状の固定部を含んでいても、固定部内領域βは３箇所以上の固定部ＳＴ〜ＳＴを囲むことで、固定部内領域βの面積を確保することができ、それだけ確実に枠体１２（１２ａ〜１２ｄ，１２ａ〜１２ｅ）を固定部ＳＴ〜ＳＴで設置箇所（図１、図８、図２０及び図２７の例では横桟４０、図２８及び図３０の例では支柱５０）に固定部材（具体的には締結ボルトＢＴ１及びナットＮＴ１による固定部材）によって固定させることが可能となる。
【０１７１】
［その他の実施形態］
第１実施形態乃至第５実施形態では、太陽電池モジュール本体１１の枠体１２（１２ａ〜１２ｄ，１２ａ〜１２ｅ）における固定部ＳＴ〜ＳＴは、少なくとも２箇所（ここでは４箇所）の締結ボルトＢＴ１〜ＢＴ１により固定される点状の固定部を含み、固定部内領域βは、少なくとも２箇所の点状の固定部を含む３箇所以上（ここでは４箇所）の固定部ＳＴ〜ＳＴを囲んでいるが、それに限定されるものではなく、線状の固定部であってもよいし、面状の固定部であってもよい。
【０１７２】
図３１は、太陽電池モジュール本体１１の枠体１２（１２ａ〜１２ｄ）における固定部ＳＴの他の例を概略的に示す平面図である。図３１（ａ）は、線状の固定部ＳＴ〜ＳＴを示しており、図３１（ｂ）は、面状の固定部ＳＴを示している。なお、図３１では、第１実施形態乃至第３実施形態の四角形状の太陽電池モジュール本体１１に適用した例を示しており、補強部材２０等は図示を省略している。
【０１７３】
図３１に示すように、固定部ＳＴは、カシメや嵌合、接着などによる線状（図３１（ａ）の例では帯状）又は面状（図３１（ｂ）の例では円形状）の固定部とされている。
【０１７４】
詳しくは、固定部ＳＴ〜ＳＴは、少なくとも１箇所（図３１（ａ）の例では３箇所）の線状の固定部又は少なくとも１箇所（図３１（ｂ）の例では４箇所）の面状の固定部を含んでいる。このような場合においても、少なくとも１箇所の線状の固定部（図３１（ａ）参照）又は少なくとも１箇所の面状の固定部（図３１（ｂ）参照）を含む２箇所以上（図３１（ａ）の例では３箇所、図３１（ｂ）の例では４箇所）の固定部ＳＴ〜ＳＴを直線で最小面積になるように囲む領域を固定部内領域βとすることができる。
【０１７５】
例えば、図３１（ａ）に示すように、固定部内領域βは、少なくとも一辺（図３１（ａ）の例では上側の辺）が単一の固定部ＳＴにより固定された枠体１２（図３１（ａ）の例では第１枠体１２ａ）の外縁により構成することができる。
【０１７６】
ここで、線状の固定部ＳＴ〜ＳＴとしては、予め定めた所定の長さ以下の幅を有するものを例示でき、面状の固定部ＳＴ〜ＳＴとしては、点状の固定部の幅よりも大きいサイズを有するものを例示できる。
【０１７７】
このように、固定部内領域βが囲む固定部ＳＴ〜ＳＴが２箇所以上の固定部とされていても、固定部ＳＴ〜ＳＴは少なくとも１箇所の線状又は少なくとも１箇所の面状の固定部ＳＴ〜ＳＴを含むことで、固定部内領域βの面積を確保することができ、それだけ確実に枠体１２（１２ａ〜１２ｄ，１２ａ〜１２ｅ）を固定部ＳＴ〜ＳＴで設置箇所（図１、図８、図２０及び図２７の例では横桟４０、図２８及び図３０の例では支柱５０）に固定部材によって固定させることが可能となる。
【０１７８】
固定部材として締結ボルトＢＴ１及びナットＮＴ１を用いて、横桟に固定する場合について述べたが、本発明はこれに限定されるものではない。例えば、一端に鉤部を有する固定金具を用いて、固定金具を締結ボルトとナットとで横桟に固定させる場合も含まれる。この場合、鉤部を有する固定金具と締結ボルトとナットとが固定部材となる。
【０１７９】
なお、ここでは、第１実施形態乃至第３実施形態について説明したが、第４実施形態及び第５実施形態についても同様に適用することができる。また、線状の固定部は、ここでは、直線状のものとしたが、それに限定されるものではなく、曲線状や波線状のものであってもよい。また、面状の固定部は、ここでは、円状のものとしたが、それに限定されるものではなく、多角形状や楕円形状のものであてもよい。また、点状の固定部、線状の固定部及び面状の固定部のうち少なくとも二つを組み合わせるようにしてもよい。
【０１８０】
［太陽光発電システムの一例］
図３２は、第１実施形態乃至第３実施形態に係る太陽電池モジュール１０（１０Ａ〜１０Ｃ）が固定部ＳＴ〜ＳＴで設置箇所として作用する横桟４０〜４０に固定される太陽光発電システム１００の一例を示す概略平面図である。なお、最上段以外の固定部ＳＴ〜ＳＴは、図示を省略している。
【０１８１】
以下の説明において、太陽電池モジュール１０（１０Ａ〜１０Ｃ）は、単に太陽電池モジュール１０と称する。
【０１８２】
太陽光発電システム１００（１００Ａ）は、図３２に示すように、複数の太陽電池モジュール１０をアレイ状に並設して横桟４０〜４０に取り付けた太陽電池アレイ２００（２００Ａ）を備えている。
【０１８３】
太陽電池アレイ２００（２００Ａ）は、平面的に見てほぼ三角形状に形成されており、例えば、寄棟造の屋根などの三角形又は台形の設置場所に設置される。なお、横桟４０〜４０は、行方向（横方向）Ｍｘに延びるように形成されるとともに、列方向（棟軒方向）Ｍｙにおいて所定の間隔を隔てて複数設けられている。また、列方向Ｍｙにおいて隣り合う太陽電池モジュール１０，１０を固定する横桟４０は隣り合う太陽電池モジュール１０，１０の間で共通（単一）のものとされている。
【０１８４】
太陽電池アレイ２００（２００Ａ）は、行方向Ｍｘの中央を境にして左右対称の形状に形成されている。
【０１８５】
詳しくは、太陽電池アレイ２００（２００Ａ）は、太陽電池モジュール１０〜１０が列方向Ｍｙにおいて上の段に行くに従って行方向Ｍｘにおいて２個ずつ少なく設けられた行列状（マトリクス状）の形状に配設されるようになっており、それに応じて横桟４０〜４０が列方向Ｍｙにおいて上の段に行くに従って短くなっている。
【０１８６】
太陽電池アレイ２００（２００Ａ）の行方向Ｍｘの両端部における太陽電池モジュール１０，１０は、平面視で五角形状（図８の五角形状又は図８の形状を反転させた五角形状）に形成されている。
【０１８７】
太陽電池アレイ２００（２００Ａ）の行方向Ｍｘの両端部以外の太陽電池モジュール１０，１０は、太平面視で矩形状（図１、図２０及び図２７の正方形状又は図１、図２０及び図２７の形状を反転させた正方形状）に形成されている。
【０１８８】
また、太陽電池アレイ２００（２００Ａ）では、各隣り合う太陽電池モジュール１０，１０は、行方向Ｍｘにおいて第１枠体１２ａ同士、第２枠体１２ｂ同士、列方向Ｍｙにおいて第３枠体１２ｃ同士、第４枠体１２ｄ同士が互いに揃うように並設されている。
【０１８９】
なお、図３２の例では、太陽電池アレイ２００（２００Ａ）は、太陽電池モジュール１０〜１０が下段から１段目（最下段）に１０個設けられ、２段目に８個設けられ、３段目に６個設けられ、４段目に４個設けられ、５段目（最上段）に２個設けられているが、勿論それに限定されるものではない。
【０１９０】
そして、太陽電池モジュール１０〜１０は、上側の第１枠体１２ａ及び下側の第２枠体１２ｂが固定部ＳＴ〜ＳＴでそれぞれ横桟４０，４０に固定部材（具体的には締結ボルトＢＴ１及びナットＮＴ１による固定部材）によって固定されている。
【０１９１】
［太陽光発電システムの他の例］
図３３は、第４実施形態乃至第５実施形態に係る太陽電池モジュール１０（１０Ｄ〜１０Ｅ）が固定部ＳＴ〜ＳＴで設置箇所として作用する支柱５０〜５０に固定される太陽光発電システム１００の一例を示す概略平面図である。なお、最上段以外の固定部ＳＴ〜ＳＴは、図示を省略している。
【０１９２】
以下の説明において、太陽電池モジュール１０（１０Ｄ〜１０Ｅ）は、単に太陽電池モジュール１０と称する。
【０１９３】
太陽光発電システム１００（１００Ｂ）は、図３３に示すように、複数の太陽電池モジュール１０をアレイ状に並設して横桟４０〜４０に取り付けた太陽電池アレイ２００（２００Ｂ）を備えている。
【０１９４】
太陽電池アレイ２００（２００Ｂ）は、平面的に見てほぼ三角形状に形成されており、例えば、寄棟造の屋根などの三角形又は台形の設置場所に設置される。支柱５０〜５０は、列方向Ｍｙに延びるように形成されるとともに、行方向Ｍｘにおいて所定の間隔を隔てて複数設けられている。
【０１９５】
太陽電池アレイ２００（２００Ｂ）は、図３２に示す太陽光発電システム１００（１００Ａ）と同様の構成とされており、ここでは説明を省略する。
【０１９６】
そして、太陽電池モジュール１０〜１０は、上側の第１枠体１２ａ及び下側の第２枠体１２ｂが固定部ＳＴ〜ＳＴでそれぞれ支柱５０，５０に固定部材（具体的には締結ボルトＢＴ１及びナットＮＴ１による固定部材）によって固定されている。
【０１９７】
なお、同一の太陽光発電システムにおいて第１実施形態乃至第５実施形態に係る態様のうち少なくとも二つ態様の太陽電池モジュール１０（１０Ａ〜１０Ｅ）を組み合わせて使用するようにしてもよく、また、異なる太陽光発電システム毎に第１実施形態乃至第５実施形態に係る態様の太陽電池モジュール１０（１０Ａ〜１０Ｅ）を使い分けて使用するようにしてもよい。
【符号の説明】
【０１９８】
１０      太陽電池モジュール
１１      太陽電池モジュール本体
１１ａ    表面
１１ｂ    裏面
１２      枠体
１２ａ    第１枠体
１２ｂ    第２枠体
１２ｃ    第３枠体
１２ｄ    第４枠体
１２ｅ    第５枠体
１３      第１継手部材
１３ａ    屈曲部
１４      第２継手部材
１４ａ    屈曲部
２０      補強部材
２０ａ    支持面
２０ｂ    固定部
２０ｃ    端面
２０ｄ    ボルト挿入孔
２０ｅ    ボルト挿入孔
２０ｆ    ボルト挿入孔
２０ｇ    ボルト挿入孔
２１      垂直板
２２      第１水平板
２３      第２水平板
２３ａ    内面
２４      開口部
２４ａ    第１開口部
２４ｂ    第２開口部
２４ｃ    第３開口部
２５      切り欠き部
２５ａ    第１切り欠き部
２５ｂ    第２切り欠き部
３０      別の補強部材
３０ａ    支持面
３０ｂ    固定部
３１      垂直板
３２      第１水平板
３３      第２水平板
３３ａ    内面
３４      溝部
３５      切り欠き部
３５ａ    第１切り欠き部
３５ｂ    第２切り欠き部
４０      横桟
４０ａ    設置固定部
５０      支柱
５０ａ    設置固定部
１００    太陽光発電システム
１１１    側面
１１１ａ  第１側面
１１１ｂ  第２側面
１１１ｃ  第３側面
１１１ｄ  第４側面
１１１ｅ  第５側面
１１２    透光性基板
１１３    保護部材
１１４    太陽電池セル
１１５    封止部材
１２１    嵌合部
１２１ａ  枠板
１２１ｂ  第１保持片
１２１ｃ  第２保持片
１２１ｄ  緩衝部材
１２２    支持部
１２２ａ  第１支持板
１２２ｂ  第２支持板
１２２ｃ  外側板
１２２ｄ  内側板
１２２ｅ  貫通孔
１２３    底部片
１２３ａ  嵌入溝
１２３ｂ  雌螺子孔
１２３ｃ  裏面
１２３ｄ  嵌入溝
１２３ｅ  雌螺子孔
１２４    螺合片
１２４ａ  雌螺子孔
１３１    第１板部
１３１ａ  ボルト挿入孔
１３２    第２板部
１３２ａ  ボルト挿入孔
１４１    第１板部
１４１ａ  ボルト挿入孔
１４２    第２板部
１４２ａ  ボルト挿入孔
２００    太陽電池アレイ
３４１    溝部
３４１ａ  第１溝部
３４１ｂ  第２溝部
３４２    溝部
３４２ａ  第１溝部
３４２ｂ  第２溝部
ＢＴ１    締結ボルト（固定部材の一例）
ＢＴ２    締結ボルト
ＢＴａ    雄螺子部
Ｌ１      第１距離
Ｌ２      第２距離
Ｍｘ      行方向
Ｍｙ      列方向
Ｎ        接着部材
ＮＴ１    ナット（固定部材の一例）
ＮＴ２    ナット
ＮＴ３    ナット
Ｑ１      第１支持点
Ｑ２      第２支持点
Ｑ３      第３支持点
ＳＣ１    螺子部材
ＳＣ２    螺子部材
ＳＣ３    螺子部材
ＳＣａ    雄螺子部
ＳＰ      スペーサ
ＳＴ      固定部
Ｗ１      第１重量
Ｗ２      第２重量
ＷＳ      座金
Ｘ        第１面方向
Ｙ        第２面方向
Ｚ        厚み方向
α        外縁領域
β        固定部内領域
γ        固定部外領域
γ１      第１固定部外領域
γ２      第２固定部外領域
δ        角部
θ１      傾斜角度
θ２      内角
θ３      内角
θ４      傾斜角度
【図１】
2014066045.tif 000003
【図２】
2014066045.tif 000004
【図３】
2014066045.tif 000005
【図４】
2014066045.tif 000006
【図５】
2014066045.tif 000007
【図６】
2014066045.tif 000008
【図７】
2014066045.tif 000009
【図８】
2014066045.tif 000010
【図９】
2014066045.tif 000011
【図１０】
2014066045.tif 000012
【図１１】
2014066045.tif 000013
【図１２】
2014066045.tif 000014
【図１３】
2014066045.tif 000015
【図１４】
2014066045.tif 000016
【図１５】
2014066045.tif 000017
【図１６】
2014066045.tif 000018
【図１７】
2014066045.tif 000019
【図１８】
2014066045.tif 000020
【図１９】
2014066045.tif 000021
【図２０】
2014066045.tif 000022
【図２１】
2014066045.tif 000023
【図２２】
2014066045.tif 000024
【図２３】
2014066045.tif 000025
【図２４】
2014066045.tif 000026
【図２５】
2014066045.tif 000027
【図２６】
2014066045.tif 000028
【図２７】
2014066045.tif 000029
【図２８】
2014066045.tif 000030
【図２９】
2014066045.tif 000031
【図３０】
2014066045.tif 000032
【図３１】
2014066045.tif 000033
【図３２】
2014066045.tif 000034
【図３３】
2014066045.tif 000035